(57)【要約】【課題】従来はハリスのついたイカリ針を、スポンジに付けた溝に、少し間隔を置いて数本挟んだり、磁石で針を固定したりし、ハリスはケースの中にまとめて無理に押さえつけて収納していたため、ハリスが鮎釣りに使えないぐらい曲がったり、折れ曲がったようなくせがついたりして、多くの釣り針が釣りに使えなくなったり、取り出しにくく、指を痛めてしまったりなどの問題があった。【解決手段】ハリス挿入穴を有する釣り針保持部で仕切って、その一方の側を針部を収納する釣り針保持部とし、他方の側をハリス収納空間を有するハリス収納部として、ハリスをハリス挿入穴を通してハリス収納部に収納し、針部とハリスをハリス挿入穴で仕切って収納することにより解決した。【選択図】  図１８
2005040040.tif 000002
【特許請求の範囲】
【請求項１】
ハリスのついた魚釣り用の釣り針を複数本収納することが出来る釣り針収納具において、前記釣り針収納具には少なくとも１つの釣り針収納具本体があり、前記釣り針収納具本体は、釣り針保持部と前記釣り針保持部のハリス付き釣り針の針先部分を収納する側とは異なる側に設けられたハリス収納空間を有するハリス収納部を有しており、前記ハリス収納部は、そのハリス収納空間が、前記釣り針収納具本体自体に形成されたハリス収納空間を有するハリス収納部と前記釣り針収納具本体をケースに取り付けた場合にその結果として形成されるハリス収納空間を有するハリス収納部のいずれか一方または双方の形態を有しており、前記釣り針保持部の一方の側（以下、釣り針保持部の表側ともいう）にハリス付き釣り針の針先部分を保持することができ、前記釣り針保持部の他方の側（以下、釣り針保持部の裏側ともいう）にハリス付き釣り針のハリスを収納することができることを特徴としており、さらに、前記釣り針保持部は、複数のハリス挿入穴を有しているとともに、前記釣り針保持部の前記裏側の少なくとも一部が前記ハリス収納部の内壁の一部を形成しており、前記ハリス挿入穴は、それが設けられている釣り針保持部の前記表側から前記裏側へ釣り針についているハリスを挿入して通過させることができ、当該釣り針の針先部分を前記ハリスを通過させた当該釣り針保持部の前記表側に留めておくことが出来るような形状と寸法に形成されており、前記ハリス収納部は、前記ハリス挿入穴を通過させたハリスを収納しておくことができる空間を形成する内壁で仕切られたハリス収納空間を有しており、前記釣り針保持部の針先を留めておく側の裏側が前記内壁の少なくとも一部を形成していることを特徴とする釣り針収納具。
【請求項２】
請求項１に記載の釣り針収納具において、前記釣り針保持部のハリス挿入穴は、前記ハリスの挿入に続いて、前記ハリスが接続されている針軸の少なくとも一部を前記ハリスを挿入通過させた方向と同じ方向に挿入させることができる構造になっているとともに、そこに収納して保持するハリスのついた釣り針を、針軸を傾けて保持しておくことが出来る形状と寸法であることを特徴とする釣り針収納具。
【請求項３】
請求項１または２に記載の釣り針収納具において、前記釣り針がイカリ針であることを特徴とする釣り針収納具。
【請求項４】
請求項１〜３のいずれか１項に記載の釣り針収納具において、前記ハリス収納部を構成する外周壁（以下、ハリス収納部の外周壁ともいう）の内側の形状が円形または楕円形であることを特徴とする釣り針収納具。
【請求項５】
請求項１〜３のいずれか１項に記載の釣り針収納具において、前記ハリス収納部の外周壁の内側の形状が、コーナー部に丸みを有する四角形以上の多角形の断面を有する多角柱であることを特徴とする釣り針収納具。
【請求項６】
請求項１〜５のいずれか１項に記載の釣り針収納具において、前記釣り針収納具本体は、前記釣り針保持部の表側の上方から投影した投影の輪郭の径方向平均寸法が前記釣り針収納具本体の平均厚みの３倍以上であることを特徴とする釣り針収納具。
【請求項７】
請求項１〜６のいずれか１項に記載の釣り針収納具において、前記釣り針保持部が、前記ハリス収納部の外周壁の内側あるいは外側に着脱可能に取り付けられていることを特徴とする釣り針収納具。
【請求項８】
請求項１〜７のいずれか１項に記載の釣り針収納具において、前記ハリス収納部の両側にそれぞれ異なる前記釣り針保持部が配置されていることを特徴とする釣り針収納具。
【請求項９】
請求項１〜８のいずれか１項に記載の釣り針収納具において、前記ハリス収納部の外周壁と上側壁あるいは下側壁が一体形成されていることを特徴とする釣り針収納具。
【請求項１０】
請求項６〜９のいずれか１項に記載の釣り針収納具において、前記釣り針保持部が前記釣り針収納具本体の厚み方向に直交する方向の端部（以下、外側部ともいう）または外側部に設けられた凹部（以下、外側部凹部ともいう）に配置されていることを特徴とする釣り針収納具。
【請求項１１】
請求項６〜１０のいずれか１項に記載の釣り針収納具において、前記釣り針保持部が前記釣り針収納具本体の厚み方向の端部（以下、小口側ともいう）に配置されていることを特徴とする釣り針収納具。
【請求項１２】
請求項１〜１１のいずれか１項に記載の釣り針収納具において、前記釣り針保持部が、板状になっており、前記板状の釣り針保持部の中央部に穴が空いているいわゆるリング状になっていることを特徴とする釣り針収納具。
【請求項１３】
請求項１〜１２のいずれか１項に記載の釣り針収納具において、前記釣り針保持部に、前記ハリスをハリス挿入穴に収納したハリスつき釣り針を固定する固定手段が設けられていることを特徴とする釣り針収納具。
【請求項１４】
請求項１３に記載の釣り針収納具において、前記釣り針を固定する固定手段が釣り針の一部を挟み込むクリップであることを特徴とする釣り針収納具。
【請求項１５】
請求項１３または１４に記載の釣り針収納具において、前記釣り針を固定する固定手段の少なくとも１つが磁石であることを特徴とする釣り針収納具。
【請求項１６】
請求項１３〜１５のいずれか１項に記載の釣り針収納具において、前記釣り針を固定する固定手段の少なくとも１つがスポンジであることを特徴とする釣り針収納具。
【請求項１７】
請求項１６に記載の釣り針収納具において、前記スポンジが前記釣り針保持部の前記ハリス挿入穴の位置を除く部分の少なくとも一部に配置されていることを特徴とする釣り針収納具。
【請求項１８】
請求項１７に記載の釣り針収納具において、前記スポンジが、前記釣り針収納具本体の小口側に形成されている前記釣り針保持部の前記ハリス挿入穴が配置されている位置よりも外側と内側の少なくとも一方にリング状に配置されていることを特徴とする釣り針収納具。
【請求項１９】
請求項１〜１８のいずれか１項に記載の釣り針収納具において、前記釣り針保持部に、１つの釣り針を挿入して保持するのに用いることができる少なくとも２つの開口部が設けられており、前記２つの開口部のうちの１つは前記ハリス挿入穴（以下、第１の穴ともいう）であり、他の開口部は前記第１の穴にハリスと針軸を挿入した釣り針の針先を入れて保持するのに用いることができる凹部または貫通孔（以下、第２の穴ともいう）であることを特徴とする釣り針収納具。
【請求項２０】
請求項１１〜１９のいずれか１項に記載の釣り針収納具において、前記釣り針収納具の釣り針収納具本体の小口側に形成されている前記釣り針保持部のハリス収納部と反対側の表面（以下、釣り針保持部の表面ともいう）が平面であり、当該釣り針保持部に形成されている前記第１の穴が前記釣り針保持部の表面と１５°〜６０°の範囲の値の角度θ１をなすように傾けて形成されていることを特徴とする釣り針収納具。
【請求項２１】
請求項２０に記載の釣り針収納具において、前記角度θ１が２０°〜５０°の範囲の値の角度であることを特徴とする釣り針収納具。
【請求項２２】
請求項１１〜１９のいずれか１項に記載の釣り針収納具において、前記釣り針収納具の釣り針収納具本体の小口側に形成されている前記釣り針保持部のハリス収納部と反対側の表面である釣り針保持部の表面が、その周辺部よりも中心に近い内側の方が盛り上がっているように、前記周辺部から中心部方向に向かって傾斜した傾斜面を有しており、前記傾斜面は当該ハリス収納部の外周上部を通る平面または当該釣り針保持部の外周下部を通る平面のいずれかと４０°より大きくない角度をなすように傾斜しており、前記傾斜面に形成された前記第１の穴は、前記第１の穴のハリス収納部とは反対側の開口部の中心とハリス収納部側の開口部の中心を結んだ直線（以下、第３の直線ともいう）が、当該釣り針保持部の外周上部を通る平面または当該釣り針保持部の外周下部を通る平面のいずれかに対して７０°以下の角度θ２をなすように傾けて形成されていることを特徴とする釣り針収納具。
【請求項２３】
請求項２２に記載の釣り針収納具において、前記角度θ２が１５°〜７０°の範囲の値の角度であることを特徴とする釣り針収納具。
【請求項２４】
請求項１１〜１９のいずれか１項に記載の釣り針収納具において、前記釣り針収納具の釣り針収納具本体の小口側に形成されている前記釣り針保持部のハリス収納部と反対側の表面である釣り針保持部の表面が、その周辺部よりも中心に近い内側の方が凹んでいるように、前記周辺部から中心部方向に向かって傾斜した傾斜面を有しており、前記傾斜面は当該釣り針保持部の外周上部を通る平面と３０°より大きくない角度をなすように傾斜しており、前記傾斜面に形成された前記第１の穴は、前記第１の穴のハリス収納部とは反対側の開口部の中心とハリス収納部側の開口部の中心を結んだ直線である第３の直線が、当該釣り針保持部の外周上部を通る平面と１５°〜５０°の範囲の値の角度θ３をなすように傾けて形成されていることを特徴とする釣り針収納具。
【請求項２５】
請求項１１〜２４のいずれか１項に記載の釣り針収納具において、前記釣り針保持部の第１の穴の中心と第２の穴の中心を結んだ線（以下、第１の直線ともいう）が、前記第１の穴の中心と当該釣り針保持部の輪郭の中心を通る中心軸線とを結んだ線に直交する線を当該釣り針保持部の表面へ投影した直線（以下、第２の直線ともいう）となす角の鋭角の方の角が、６０°未満の大きさの所定の角度θ４をなすように、前記第１の穴と第２の穴が設けられていることを特徴とする釣り針収納具。
【請求項２６】
請求項２５に記載の釣り針収納具において、前記角度θ４が３０°以下のの値の角度であることを特徴とする釣り針収納具。
【請求項２７】
請求項１〜２６のいずれか１項に記載の釣り針収納具において、前記釣り針保持部の複数のハリス挿入穴が、それが設けられている釣り針収納具本体の中心を中心とする円周上に配置されていることを特徴とする釣り針収納具。
【請求項２８】
請求項１９〜２７のいずれか１項に記載の釣り針収納具において、複数の前記第２の穴が、当該釣り針収納具本体の中心を中心とする円周上にあることを特徴とする釣り針収納具。
【請求項２９】
請求項１〜２８のいずれか１項に記載の釣り針収納具において、前記釣り針収納具本体がケースに収納されていることを特徴とする釣り針収納具。
【請求項３０】
請求項２９に記載の釣り針収納具において、前記ケースには、携帯用のひもを通すことができる穴が設けられていることを特徴とする釣り針収納具。
【請求項３１】
請求項２９または３０に記載の釣り針収納具において、前記ケースの下側中央部と上側中央部の少なくとも一方に、指を入れることができる窪みまたは穴が設けられていることを特徴とする釣り針収納具。
【請求項３２】
請求項１〜３のいずれか１項に記載の釣り針収納具において、前記釣り針保持部に形成されているハリス挿入穴が、当該釣り針保持部のハリス挿入穴が形成されている表面の対向する一方の側に形成されている複数のハリス挿入穴（以下、第１のハリス挿入穴群ともいう）と他方の側に形成されている複数のハリス挿入穴（以下、第２のハリス挿入穴群ともいう）、前記第１のハリス挿入穴群のハリス挿入穴から前記ハリス収納部内に収納たれるハリスと前記第２のハリス挿入穴群のハリス挿入穴から前記ハリス収納部内に収納たれるハリスが互いに交差する方向を向いて挿入されるように、前記第１のハリス挿入穴群のハリス挿入穴と前記第２のハリス挿入穴群のハリス挿入穴が傾けて形成されていることを特徴とする釣り針収納具。
【請求項３３】
請求項１〜３２のいずれか１項に記載の釣り針収納具において、前記ハリス収納部の外周壁には、そこに収納されるハリスを通過させてしまう穴や隙間などの開口がないことを特徴とする釣り針収納具。
【請求項３４】
請求項２９〜３３のいずれか１項に記載の釣り針収納具において、前記ケースの少なくとも一部が透光性を有することを特徴とする釣り針収納具。
【請求項３５】
請求項１〜３４のいずれか１項に記載の釣り針収納具において、前記釣り針収納具本体とそれを収納するケースの少なくとも一方が合成ゴムで形成されていることを特徴とする釣り針収納具。
【請求項３６】
請求項３５に記載の釣り針収納具において、前記釣り針収納具本体とそれを収納するケースの少なくとも一方を形成している合成ゴムとしてシリコーンゴム、ＮＢＲ、ウレタンゴムのいずれかが用いられていることを特徴とする釣り針収納具。
【請求項３７】
請求項１〜３４のいずれか１項に記載の釣り針収納具において、前記釣り針収納具本体とそれを収納するケースの少なくとも一方の少なくとも一部が紙で形成されていることを特徴とする釣り針収納具。
【請求項３８】
請求項３７に記載の釣り針収納具において、前記釣り針収納具本体とそれを収納するケースの少なくとも一方の少なくとも一部を形成している紙に切り込みが形成されていることを特徴とする釣り針収納具。
【請求項３９】
請求項１〜３８のいずれか１項に記載の釣り針収納具において、前記釣り針収納具本体がそれを収納したケースの中で回転可能になっていることを特徴とする釣り針収納具。
【請求項４０】
請求項１〜３９のいずれか１項に記載の釣り針収納具において、前記釣り針保持部が前記釣り針収納具本体もしくはケースに回転可能に装着されていることを特徴とする釣り針収納具。
【発明の詳細な説明】
【０００１】
【発明が属する技術分野】
本発明は、魚釣り用の新規の釣り針収納具に関し、さらに具体的には、たとえば鮎釣りに用いるイカリ針のようなハリスつきイカリ針を、ハリスを痛めずに多数収納することができ、魚釣りに携行したときにも使いやすい新規の釣り針収納具に関する。
【０００２】
【従来の技術】
鮎釣りのような魚釣りは、ハリスのついたイカリ針のような釣り針を多数携行して釣りを行うのが通例である。
【０００３】
ハリスのついたイカリ針のような釣り針をハリスとともに収納する従来の釣り針収納具は、長方形の箱型のものが典型的である。１つの典型的な例として、直方体のスポンジで、幅方向中央部に長さ方向に形成した釣り針を差し込んで保持する溝のあるスポンジに釣り針を２〜３本差し込んで保持し、ハリスをそのスポンジの周囲に巻きつけたり、丸めたりして、その全体を箱に入れて収納するものが用いられている。他の１つの典型的な例として、箱の内部に磁石を配置しておき、そこに釣り針を吸着して保持し、ハリスを丸めて針とともに同じ箱の中に収納するものが用いられている。
【０００４】
図３４は、従来の典型的なハリス付き釣り針の収納具の例を説明するための斜視図である。
【０００５】
図３４において、符号１は釣り針収納具、２は釣り針収納具１を構成するケース、３はケース２の蓋、４はケース２と蓋３を繋ぐための蝶番、５はケース２に入れられたスポンジで釣り針を収納するための溝８を有している。符号６，６ａ，６ｂはスポンジ５の溝８に差し込んで収納されている釣り針の例としての３本イカリ針、７は釣り針６についているハリス、７ａは釣り針６ａについているハリス、７ｂは釣り針６ｂについているハリスで、ハリス７は正常な状態を維持しているが、ハリス７ｂは曲がった状態に癖がついてしまっており、ハリス７ａは先端に近い部分に段がついている。
【０００６】
図３４で、スポンジ５は直方体で、スポンジ５の幅方向の中央部には幅の狭い直線状の溝８がスポンジ５の長さ方向全体に設けられており、釣り針６，６ａ，６ｂの針軸を溝８に差し込むと、溝８は、釣り針で拡げられために収縮しようとする復元力によって釣り針６，６ａ，６ｂの針軸を挟み込んで釣り針を保持している。また、蓋３はケース２よりも少し大きく、ケース２の上からかぶせられるように構成されており、蝶番４によって開閉可能に構成されている。
【０００７】
図３４に示したような従来の釣り針収納具にハリスのついた釣り針を収納する場合は、溝８に釣り針６，６ａ，６ｂを互いに当たらないように並べて収納し、各ハリス７，７ａ，７ｂをケース２内に入るようにスポンジ５の上に適宜曲げて配置するか、スポンジ５毎ケース２から一旦出してスポンジ５の周囲にハリスを巻きつけて、ケース２に再び入れて、蓋３を閉じてハリス付き釣り針を収納していた。
【０００８】
図３４を用いて説明したような釣り針収納具にハリスのついた釣り針を収納した場合、釣り針同士を直線状に並べて収納するため、非常に少ない個数の釣り針しか収納することが出来なかった。また、釣り針についたハリスはそのままスポンジ上に乗せるかスポンジに巻きつけてケースにいれることになるが、ハリスはバネ性が強いため、従来のケースに収納するにはハリスをかなり強引に押さえ込んで収納することになる。釣り針を複数個収納すると、収納した釣り針の位置によってはハリスを釣り針収納具内で強引に曲げた状態で長時間収納しなければならず、ハリス７ｂのように小さな曲率半径に湾曲して、くせがついてしまったり、また、蓋３を閉じるときにハリスを挟んでしまうことが多く、ハリス７ａのように段状の癖がついてしまうことが多々あった。そして、このような状況は釣り針を少数収納する場合にも生じることが多かった。
【０００９】
鮎の友釣りなどにおいては、上述のように極端に曲がってしまったり、段状のくせがついてしまったハリスのついた釣り針は、釣果に大きな悪影響を及ぼすため、実際には使用できないものということになる。
【００１０】
このため、従来は、釣り針を釣り針収納具に少数しか収納できない上に、少数しか収納しなかった場合でも、ハリスが傷ついたりしてしまい、多くの釣り針を廃棄しなくてはならなかった。
【００１１】
さらに、スポンジ５に設けられた溝８は非常に細いため、溝の位置をすぐに探すことは難しく、釣り針を収納するのにいらいらするほど時間がかかっていた。また、スポンジに釣り針を収納した場合は、根本部分以外の針の部分がスポンジに刺さってしまい、取り出すのに手間がかかり、時間を必要とするうえ、手を針によって傷つけることも多々あった。
【００１２】
このため、ハリスのついた釣り針をハリスを傷めずに多数収納することが出来るとともに、簡単に出し入れが可能な釣り針収納具の実現が強く望まれていた。
【００１３】
図３５は従来の釣り針収納具の典型的な他の例を説明するための斜視図である。
【００１４】
図３５において、符号１１は釣り針収納具、１２は釣り針収納具１１を構成するケース、１３は釣り針収納具１１を構成するケース１２の蓋、１４はケース１２と蓋１３を繋ぐ蝶番、１５は釣り針を固定するのに用いる磁石、１６は釣り針収納具１１に収納された釣り針、１７は釣り針１６についているハリスである。
【００１５】
図３５で、ケース１２と蓋１３は蝶番１４によって開閉可能に繋がれている。磁石１５は、山状に立てられた台の面に貼り付けられた状態で配置されている。また、釣り針１６は、２つの磁石の境目になっている台の頂点部付近に根本を当てる形で、１本ずつ分けて磁石に吸引して収納されており、ハリス１７はケースの中に収まるように放置したり曲げたりして収納し、蓋１３を閉めて収納していた。
【００１６】
図３５のような釣り針収納具にハリスのついた釣り針を収納した場合、釣り針は磁石によって吸着されてある程度固定されているだけなので、収納中にケースが衝撃を受けたりすると、釣り針が動いてしまうことがあり、釣り針同士が絡まってしまい、取り出すときに手間がかかるのみならず、手を針によって傷つけることも多かった。ハリスは固定されていないので、ハリス同士やハリスと釣り針が絡まったりして、結果としてくせがついたり、極端に曲がったりして傷ついてしまい、釣り針として使用できなくなってしまうことが多々あった。また、このハリスが互いに絡まることによって、釣り針を１本だけ素早く取り出そうとしてもうまく取り出せないことも多く、使いにくさが否めなかった。
【００１７】
また、図３４ではケースを用いているが、このケースを用いないスポンジだけのもののような従来の釣り針収納具の例では、釣り針を収納するとき、ハリスを収納具の端のスリットにまとめて、挟み込むものもあったが、この方法でも、釣り針を１本取り出したいときに取り出しにくく、さらに、ハリスに癖を付けることになり、やはり釣り針を良好な状態で使用することはできなかった。
【００１８】
近時、イカリ針のついたハリスを多数本平行に束ねただけのものも販売されているが、釣りに携行して使用するには釣り針を一本ずつ素早く取り出すことができず、また、取り出すときに非常に危険であるなど、多くの問題があった。
【００１９】
【発明が解決しようとする課題】
以上説明したように、従来の釣り針収納具では、ハリス付き釣り針を多数収納することができないのみならず、少数でも複数の釣り針を収納すると、釣り針が収納具に引っかかったり、釣り針同士が絡み合ったり、ハリス同士あるいはハリスと釣り針が絡まったり、釣りを行うときに釣り針を交換する場合、１本づつ釣り針を素早く収納具から取り出せないという大きな問題があり、さらに、ハリスに癖がついてしまったり、ハリスが極端に湾曲してしまったりなど、釣り針を良好な状態で使用することができないという大きな問題があった。
【００２０】
また、釣り針を少数収納した場合でさえも、上述のような問題が頻繁に起こってしまっていた。
【００２１】
さらに、上記のように、携行中に釣り針の位置が動いたり、釣り針とハリスが絡まったり、釣り針同士が絡まったり、ハリス同士が絡まったり、釣り針が収納具に引っかかったりする場合が多々あり、手を傷つけてしまうことも多かった。
イカリ針は特に危険な釣り針である。
【００２２】
衆知のように、鮎釣りなどでは、釣り中に交換用のイカリ針を急いで取り出したい場合がある。しかし、前記のような事情のため、従来の収納具を用いていると、手にけがをすることが多く、安全上大きな問題があった。
【００２３】
このため、ある程度多くの釣り針を、釣り針同士やハリスが絡まったり、容器に釣り針が引っかかったりすることなく、安全かつコンパクトに収納することができ、釣りに携行して使用する時に釣り針を素早く取り出せることができ、ハリスを絡ませたり、使用するのに不都合なハリスの変形を生じさせたりして傷めないように収納することができる釣り針収納具の実現が強く望まれていた。
【００２４】
本発明は、このような点に鑑みて成されたものであり、本発明の目的は、上記の問題を解決して、多数の釣り針を、ハリスを傷つけることなく、釣り針を容易にかつ素早く安全に取り出せる状態で、かつ、コンパクトに収納することができる釣り針収納具を提供することにある。
【００２５】
【課題を解決するための手段】
本発明は、前記の課題を解決するため、従来全く考えられていなかった形態のハリス収納空間の概念を導入して、釣り針とそれに付けられたハリスをハリス挿入穴の一方の側と他方の側に仕切り、それぞれを互いに干渉しないようにして収納することができる釣り針収納具を提供するものである。そして、釣り針に付けられたハリスを、従来のような有害な変形を極力避けて、しかも、針軸や針先部分と絡まることなく、釣り針を必要なときに取り出しやすいように収納しておくことができ、また、簡単に収納することができる釣り針収納具本体を有する釣り針収納具を実現したところに特に大きな特徴を有する。
【００２６】
以下、その特徴の例を具体的に説明する。
【００２７】
本発明の目的の達成を図るため、本発明の請求項１に記載の釣り針収納具は、ハリスのついた魚釣り用の釣り針を複数本収納することが出来る釣り針収納具で、前記釣り針収納具には少なくとも１つの釣り針収納具本体があり、前記釣り針収納具本体は、釣り針保持部と前記釣り針保持部のハリス付き釣り針の針先部分を収納する側とは異なる側に設けられたハリス収納空間を有するハリス収納部を有しており、前記ハリス収納部は、そのハリス収納空間が、前記釣り針収納具本体自体に形成されたハリス収納空間を有するハリス収納部と前記釣り針収納具本体をケースに取り付けた場合にその結果として形成されるハリス収納空間を有するハリス収納部のいずれか一方または双方の形態を有しており、前記釣り針保持部の一方の側（以下、釣り針保持部の表側ともいう）にハリス付き釣り針の針先部分を保持することができ、前記釣り針保持部の他方の側（以下、釣り針保持部の裏側ともいう）にハリス付き釣り針のハリスを収納することができることを特徴としており、さらに、前記釣り針保持部は、複数のハリス挿入穴を有しているとともに、前記釣り針保持部の前記裏側の少なくとも一部が前記ハリス収納部の内壁の一部を形成しており、前記ハリス挿入穴は、それが設けられている釣り針保持部の前記表側から前記裏側へ釣り針についているハリスを挿入して通過させることができ、当該釣り針の針先部分を前記ハリスを通過させた当該釣り針保持部の前記表側に留めておくことが出来るような形状と寸法に形成されており、前記ハリス収納部は、前記ハリス挿入穴を通過させたハリスを収納しておくことができる空間を形成する内壁で仕切られたハリス収納空間を有しており、前記釣り針保持部の針先を留めておく側の裏側が前記内壁の少なくとも一部を形成していることを特徴としている。
【００２８】
すなわち、ハリスのついた釣り針には、衆知のように、イカリ針のように複数本の釣り針を束ねたものにハリスを付けたものや、一本の釣り針にハリスを付けたものや、針の大きなものや針の小さなものなどいくつかの種類がある。
【００２９】
請求項１に記載の本発明の釣り針収納具は、これらの多くの釣り針の収納を効果的に行うことができるものである。
【００３０】
本発明の請求項２に記載の釣り針収納具は、請求項１に記載の釣り針収納具において、前記釣り針保持部のハリス挿入穴は、前記ハリスの挿入に続いて、前記ハリスが接続されている針軸の少なくとも一部を前記ハリスを挿入通過させた方向と同じ方向に挿入させることができる構造になっているとともに、そこに収納して保持するハリスのついた釣り針を、針軸を傾けて保持しておくことが出来る形状と寸法であることを特徴としている。前記の記載からも容易に推察できることであるが、請求項２に記載の釣り針収納具は、釣り針収納具本体の薄型化、小型化を可能とし、それをケースに装着したものも薄型化、小型化が可能となる。これは、釣りに携行する場合に大きな効果をもたらすものである。
【００３１】
本発明の請求項３に記載の釣り針収納具は、請求項１または２に記載の釣り針収納具において、前記釣り針がイカリ針であることを特徴としている。
【００３２】
本発明の請求項４に記載の釣り針収納具は、請求項１〜３のいずれか１項に記載の釣り針収納具において、前記ハリス収納部を構成する外周壁（以下、ハリス収納部の外周壁ともいう）の内側の形状が円形または楕円形であることを特徴としている。この形状は、前記ハリス挿入穴から挿入されたハリスがハリス収納部内でなめらかに進行することを可能とし、ハリスの収納時にハリスに従来のような有害な変形を生じることを防ぐ作用をする。
【００３３】
本発明の請求項５に記載の釣り針収納具は、請求項１〜３のいずれか１項に記載の釣り針収納具において、前記ハリス収納部の外周壁の内側の形状が、コーナー部に丸みを有する四角形以上の多角形の断面を有する多角柱であることを特徴としている。この形状は、前記ハリス挿入穴から挿入されたハリスがハリス収納部内でなめらかに進行することを可能とし、ハリスの収納時にハリスに従来のような有害な変形を生じることを防ぐ作用をする。さらに、本発明の釣り針収納具は、請求項１〜３のいずれか１項に記載の釣り針収納具において、前記ハリス収納部の外周壁の形状と釣り針収納具本体の外周形状のいずれか一方あるいは双方を、四角形以上の多角形の断面を有する多角柱に形成することもできる。そして、そのコーナー部に丸みを付けたものにすることができる。外周壁の形状をこのようにすることにより、ケースも同様の形状にすることができる。このことは、釣り針収納具の整理をし易くし、多数の釣り針をハリスの変形を防いで高密度に収納できる小型の釣り針収納具を、道具箱などにコンパクトに、整然と入れることができる。
【００３４】
本発明の請求項６に記載の釣り針収納具は、請求項１〜５のいずれか１項に記載の釣り針収納具において、前記釣り針収納具本体は、前記釣り針保持部の表側の上方から投影した投影の輪郭の径方向平均寸法が前記釣り針収納具本体の平均厚みの３倍以上であることを特徴としている。これによって、携帯性を向上することができ、携帯しやすく、使いやすい実用的な釣り針収納具を提供することができる。
【００３５】
本発明の請求項７に記載の釣り針収納具は、請求項１〜６のいずれか１項に記載の釣り針収納具において、前記釣り針保持部が、前記ハリス収納部の外周壁の内側あるいは外側に着脱可能に取り付けられていることを特徴としている。
【００３６】
本発明の請求項８に記載の釣り針収納具は、請求項１〜７のいずれか１項に記載の釣り針収納具において、前記ハリス収納部の両側にそれぞれ異なる前記釣り針保持部が配置されていることを特徴としている。
【００３７】
本発明の請求項９に記載の釣り針収納具は、請求項１〜８のいずれか１項に記載の釣り針収納具において、前記ハリス収納部の外周壁と上側壁あるいは下側壁が一体形成されていることを特徴としている。これにより、小型化を一層進めることができるとともに、製造コストの大幅な低減が可能となる。
【００３８】
本発明の請求項１０に記載の釣り針収納具は、請求項６〜９のいずれか１項に記載の釣り針収納具において、前記釣り針保持部が前記釣り針収納具本体の厚み方向に直交する方向の端部（以下、外側部ともいう）または外側部に設けられた凹部（以下、外側部凹部ともいう）に配置されていることを特徴としている。
【００３９】
本発明の請求項１１に記載の釣り針収納具は、請求項６〜１０のいずれか１項に記載の釣り針収納具において、前記釣り針保持部が前記釣り針収納具本体の厚み方向の端部（以下、小口側ともいう）に配置されていることを特徴としている。
【００４０】
本発明の請求項１２に記載の釣り針収納具は、請求項１〜１１のいずれか１項に記載の釣り針収納具において、前記釣り針保持部が、板状になっており、前記板状の釣り針保持部の中央部に穴が空いているいわゆるリング状になっていることを特徴としている。この中央部の穴は、たとえば、これに限定されないが、穴に指を入れた、挟んで持ったり、この穴にケースの突起部や穴部などを係合するようにケースに釣り針収納具本体を装着し、ケースの蓋を開けるなどケースを取り扱うときに、前記穴の部分に指を入れて、他の指をケースの外周に当てて挟み、容易に蓋を開けることができるなど、釣り針保持部の使い勝手をよくする効果をもたらす。釣り針収納具を薄く形成しときは、この穴は釣り針収納具の取扱に重要な役割をする。なお、前記穴は、釣り針保持部の中央部に設けることを特徴とした例を記したが、後述の実施の形態例の説明を含む本発明の技術思想から明らかに推測することができるように、一つの好適な例が釣り針保持部の中央部に設けられたものであり、用途によっては、中央部からずれた位置に設けて、本発明の効果を大きくすることもできるものである。
【００４１】
このリング状の形状は、円形や楕円形にすることもできる。
【００４２】
しかし、このリング状の形状は、円形や楕円形に狭く限定されるものではなく、多角形など多くのバリエーションを可能とするものであることは当然である。
【００４３】
本発明の請求項１３に記載の釣り針収納具は、請求項１〜１２のいずれか１項に記載の釣り針収納具において、前記釣り針保持部に、前記ハリスをハリス挿入穴に収納したハリスつき釣り針を固定する固定手段が設けられていることを特徴としている。
【００４４】
本発明の請求項１４に記載の釣り針収納具は、請求項１３に記載の釣り針収納具において、前記釣り針を固定する固定手段が釣り針の一部を挟み込むクリップであることを特徴としている。
【００４５】
本発明の請求項１５に記載の釣り針収納具は、請求項１３または１４に記載の釣り針収納具において、前記釣り針を固定する固定手段の少なくとも１つが磁石であることを特徴としている。
【００４６】
本発明の請求項１６に記載の釣り針収納具は、請求項１３〜１５のいずれか１項に記載の釣り針収納具において、前記釣り針を固定する固定手段の少なくとも１つがスポンジであることを特徴としている。
【００４７】
本発明の請求項１７に記載の釣り針収納具は、請求項１６に記載の釣り針収納具において、前記スポンジが前記釣り針保持部の前記ハリス挿入穴の位置を除く部分の少なくとも一部に配置されていることを特徴としている。
【００４８】
本発明の請求項１８に記載の釣り針収納具は、請求項１７に記載の釣り針収納具において、前記スポンジが、前記釣り針収納具本体の小口側に形成されている前記釣り針保持部の前記ハリス挿入穴が配置されている位置よりも外側と内側の少なくとも一方にリング状に配置されていることを特徴としている。
【００４９】
前記請求項１３〜１８に記載の本発明の釣り針収納具は、釣りに携行するように用いられる場合が多いと推測される。このような場合には、この釣り針収納具に大きな衝撃力が加わることがある。その衝撃力によって、収納されている釣り針にも衝撃力が加わり、質量の大きい針部は、収納具の中で衝撃力の作用を受けることになるが、たとえば、蓋付きのケースの蓋を開けているときでも、前記固定手段はその衝撃力の作用で釣り針が飛び出すのを防ぐ効果をもたらす。
【００５０】
本発明の請求項１９に記載の釣り針収納具は、請求項１〜１８のいずれか１項に記載の釣り針収納具において、前記釣り針保持部に、１つの釣り針を挿入して保持するのに用いることができる少なくとも２つの開口部が設けられており、前記２つの開口部のうちの１つは前記ハリス挿入穴（以下、第１の穴ともいう）であり、他の開口部は前記第１の穴にハリスと針軸を挿入した釣り針の針先を入れて保持するのに用いることができる凹部または貫通孔（以下、第２の穴ともいう）であることを特徴としている。前記第２の穴は、釣り針収納具のケースを含めた厚みを薄くすることができるとともに、ハリスの変形を防ぐ効果を有し、さらに、針部の固定手段としても作用し、釣り針収納具の耐衝撃性を大きく高めることができる。
【００５１】
本発明の請求項２０に記載の釣り針収納具は、請求項１１〜１９のいずれか１項に記載の釣り針収納具において、前記釣り針収納具の釣り針収納具本体の小口側に形成されている前記釣り針保持部のハリス収納部と反対側の表面（以下、釣り針保持部の表面ともいう）が平面であり、当該釣り針保持部に形成されている前記第１の穴が前記釣り針保持部の表面と１５°〜６０°の範囲の値の角度θ１をなすように傾けて形成されていることを特徴としている。
【００５２】
本発明の請求項２１に記載の釣り針収納具は、請求項２０に記載の釣り針収納具において、前記角度θ１が２０°〜５０°の範囲の値の角度であることを特徴としている。
【００５３】
前記請求項２０，請求項２１に記載の特徴は、イカリ針のような釣り針に対しても、ハリス付き釣り針を多数密集して収納することを可能にし、しかも、その操作性を極めて優れたものにするものである。
【００５４】
本発明の請求項２２に記載の釣り針収納具は、請求項１１〜１９のいずれか１項に記載の釣り針収納具において、前記釣り針収納具の釣り針収納具本体の小口側に形成されている前記釣り針保持部のハリス収納部と反対側の表面である釣り針保持部の表面が、その周辺部よりも中心に近い内側の方が盛り上がっているように、前記周辺部から中心部方向に向かって傾斜した傾斜面を有しており、前記傾斜面は当該ハリス収納部の外周上部を通る平面または当該釣り針保持部の外周下部を通る平面のいずれかと４０°より大きくない角度をなすように傾斜しており、前記傾斜面に形成された前記第１の穴は、前記第１の穴のハリス収納部とは反対側の開口部の中心とハリス収納部側の開口部の中心を結んだ直線（以下、第３の直線ともいう）が、当該釣り針保持部の外周上部を通る平面または当該釣り針保持部の外周下部を通る平面のいずれかに対して７０°以下の角度θ２をなすように傾けて形成されていることを特徴としている。
【００５５】
本発明の請求項２３に記載の釣り針収納具は、請求項２２に記載の釣り針収納具において、前記角度θ２が１５°〜７０°の範囲の値の角度であることを特徴としている。
【００５６】
前記請求項２２，請求項２３に記載の特徴は、ハリス収納空間を実効的に大きくすることになり、ハリスの挿入をスムーズにするものである。
【００５７】
本発明の請求項２４に記載の釣り針収納具は、請求項１１〜１９のいずれか１項に記載の釣り針収納具において、前記釣り針収納具の釣り針収納具本体の小口側に形成されている前記釣り針保持部のハリス収納部と反対側の表面である釣り針保持部の表面が、その周辺部よりも中心に近い内側の方が凹んでいるように、前記周辺部から中心部方向に向かって傾斜した傾斜面を有しており、前記傾斜面は当該釣り針保持部の外周上部を通る平面と３０°より大きくない角度をなすように傾斜しており、前記傾斜面に形成された前記第１の穴は、前記第１の穴のハリス収納部とは反対側の開口部の中心とハリス収納部側の開口部の中心を結んだ直線である第３の直線が、当該釣り針保持部の外周上部を通る平面と１５°〜５０°の範囲の値の角度θ３をなすように傾けて形成されていることを特徴としている。
【００５８】
前記請求項２４に記載の釣り針収納具は、たとえば、イカリ針を収納したときに、イカリ針の針先が釣り針収納具の内側に向くようにすることができるので、取扱中に指を針先で痛める危険性を大きく低減するという、安全上の大きな効果を有するものである。
【００５９】
本発明の請求項２５に記載の釣り針収納具は、請求項１１〜２４のいずれか１項に記載の釣り針収納具において、前記釣り針保持部の第１の穴の中心と第２の穴の中心を結んだ線（以下、第１の直線ともいう）が、前記第１の穴の中心と当該釣り針保持部の輪郭の中心を通る中心軸線とを結んだ線に直交する線を当該釣り針保持部の表面へ投影した直線（以下、第２の直線ともいう）となす角の鋭角の方の角が、６０°未満の大きさの所定の角度θ４をなすように、前記第１の穴と第２の穴が設けられていることを特徴としている。
【００６０】
本発明の請求項２６に記載の釣り針収納具は、請求項２５に記載の釣り針収納具において、前記角度θ４が３０°以下のの値の角度であることを特徴としている。
【００６１】
前記請求項２５と請求項２６に記載の特徴は、小型の釣り針収納具においても、ハリス挿入穴からハリス収納部に挿入されたハリスが、ハリス収納部内をハリス収納部の内壁の強い抵抗を受けずに進行することを可能とするものである。
【００６２】
本発明の請求項２７に記載の釣り針収納具は、請求項１〜２６のいずれか１項に記載の釣り針収納具において、前記釣り針保持部の複数のハリス挿入穴が、それが設けられている釣り針収納具本体の中心を中心とする円周上に配置されていることを特徴としている。
【００６３】
本発明の請求項２８に記載の釣り針収納具は、請求項１９〜２７のいずれか１項に記載の釣り針収納具において、複数の前記第２の穴が、当該釣り針収納具本体の中心を中心とする円周上にあることを特徴としている。
【００６４】
前記請求項２７と請求項２８に記載の特徴は、釣り針収納具における針部の位置が釣り針収納具の外周からどれも同じ位置にあるように収納することができ、小型の釣り針収納具においても、釣り針の取扱を容易にするものである。
【００６５】
本発明の請求項２９に記載の釣り針収納具は、請求項１〜２８のいずれか１項に記載の釣り針収納具において、前記釣り針収納具本体がケースに収納されていることを特徴としている。
【００６６】
本発明の請求項３０に記載の釣り針収納具は、請求項２９に記載の釣り針収納具において、前記ケースには、携帯用のひもを通すことができる穴が設けられていることを特徴としている。
【００６７】
本発明の請求項３１に記載の釣り針収納具は、請求項２９または３０に記載の釣り針収納具において、前記ケースの下側中央部と上側中央部の少なくとも一方に、指を入れることができる窪みまたは穴が設けられていることを特徴としている。
【００６８】
前記請求項２９〜請求項３０に記載の特徴は、携帯性と安全性を高め、前記請求項１〜請求項２８に記載の本発明の効果を真に高めることができるものである。特に、イカリ針の収納には重要な特徴の一つである。
【００６９】
本発明の請求項３２に記載の釣り針収納具は、請求項１〜３のいずれか１項に記載の釣り針収納具において、前記釣り針保持部に形成されているハリス挿入穴が、当該釣り針保持部のハリス挿入穴が形成されている表面の対向する一方の側に形成されている複数のハリス挿入穴（以下、第１のハリス挿入穴群ともいう）と他方の側に形成されている複数のハリス挿入穴（以下、第２のハリス挿入穴群ともいう）、前記第１のハリス挿入穴群のハリス挿入穴から前記ハリス収納部内に収納されるハリスと前記第２のハリス挿入穴群のハリス挿入穴から前記ハリス収納部内に収納されるハリスが互いに交差する方向を向いて挿入されるように、前記第１のハリス挿入穴群のハリス挿入穴と前記第２のハリス挿入穴群のハリス挿入穴が傾けて形成されていることを特徴としている。
【００７０】
前記請求項３２に記載の特徴は、ハリスのついたイカリ針のような釣り針の場合も、極めて多数の釣り針を、ハリスの変形を防いで多数、高密度に収納することができ、釣り針の収納、取り出しが容易で、釣りに携行することもでき、また、販売店などでも使用することができるものである。
【００７１】
本発明の請求項３３に記載の釣り針収納具は、請求項１〜３２のいずれか１項に記載の釣り針収納具において、前記ハリス収納部の外周壁には、そこに収納されるハリスを通過させてしまう穴や隙間などの開口がないことを特徴としている。このような釣り針収納具に収納されたハリスは、外に飛び出さないので、外部の物体と触れることによる変形が皆無になる。
【００７２】
本発明の請求項３４に記載の釣り針収納具は、請求項１〜３３のいずれか１項に記載の釣り針収納具において、前記ハリス収納部の底部と外周壁の少なくとも一方が透光性を有することを特徴としている。このようにすることにより、ハリスの収納状態を容易に確認することができる。
【００７３】
本発明の請求項３５に記載の釣り針収納具は、請求項１〜３４のいずれか１項に記載の釣り針収納具において、前記釣り針収納具本体とそれを収納するケースの少なくとも一方が合成ゴムで形成されていることを特徴としている。このような釣り針収納具は、型成形を利用することができ、製造しやすく、使いやすい釣り針収納具を安いコストで提供することができるのみならず、使用者にとっては、針先を差し込む溝を容易に作ることができ、クリップや磁石による針部の固定手段を用いなくても収納してある釣り針の耐衝撃性を高めることができ、また、針先をゴムに刺して止めることが出るという使い勝手の向上という利点をもたらすこともできるなど、多くの利点をもたらすものである。
【００７４】
本発明の請求項３６に記載の釣り針収納具は、請求項３５に記載の釣り針収納具において、前記釣り針収納具本体とそれを収納するケースの少なくとも一方を形成している合成ゴムとしてシリコーンゴム、ＮＢＲ、ウレタンゴムのいずれかが用いられていることを特徴としている。これらのゴムは、他の分野で蓄積された加工上の多くのデータをも用いることができる。
【００７５】
本発明の請求項３７に記載の釣り針収納具は、請求項１〜３４のいずれか１項に記載の釣り針収納具において、前記釣り針収納具本体とそれを収納するケースの少なくとも一方の少なくとも一部が紙で形成されていることを特徴としている。紙で形成されていることにより、不要になったときの処理がし易く、環境保護の点からも好ましいものになる。
【００７６】
本発明の請求項３８に記載の釣り針収納具は、請求項３７に記載の釣り針収納具において、前記釣り針収納具本体とそれを収納するケースの少なくとも一方の少なくとも一部を形成している紙に切り込みが形成されていることを特徴とする釣り針収納具。この切り込み部をハリス付き釣り針の針部をたとえば引っかけて保持し、針部とハリスを切り込みのある部分で仕切ることにより、ハリスが収納される側とは反対側である切り込み部の一方の側を釣り針保持部とし、他方の側を本発明のハリス収納空間として、ハリス収納部として用いることができる。
【００７７】
本発明の請求項３９に記載の釣り針収納具は、請求項１〜３７のいずれか１項に記載の釣り針収納具において、前記釣り針収納具本体がそれを収納したケースの中で回転可能になっていることを特徴としている。
【００７８】
本発明の請求項４０に記載の釣り針収納具は、請求項１〜３９のいずれか１項に記載の釣り針収納具において、前記釣り針保持部が前記釣り針収納具本体もしくはケースに回転可能に装着されていることを特徴としている。
【００７９】
前記請求項３９と請求項４０に記載の特徴は、釣り針収納具に収納してある釣り針を、たとえば、いつもケースの同じ位置から取り出すことができ、また、釣り針を収納する場合もいつもケースの同じ位置から収納することを可能とするものである。
【００８０】
各請求項に記載の本発明の前記各特徴は、本発明の代表的特徴であるが、後述の説明からも明らかなように、本発明の特徴はこれだけではない。それらについては、本発明の実施の形態例を説明する過程で明らかにされる。
【００８１】
【発明の実施の形態】
以下、図面を参照して本発明の実施の形態について説明する。なお、説明に用いる各図は本発明を理解できる程度に各構成要素の寸法、形状、配置関係などを概略的に示してある。そして、本発明の説明の都合上、部分的に拡大率を変えて図示する場合もあり、本発明に用いる図は、必ずしも実施の形態などの実物や記述と相似形でない場合もある。また、各図において、同様な構成要素については同一の番号を付けて示し、重複する説明を省略することもある。
【００８２】
以下、本発明の実施の形態について、いくつかの実施の形態例を用いて説明する。
【００８３】
本発明の釣り針収納具の特に顕著な特徴の一つは、ハリス付き釣り針のハリスを、該釣り針収納具の釣り針保持部に設けられているハリス挿入穴をその一方の側から他方の側に通して、該釣り針保持部の前記他方の側に、すなわち、該釣り針保持部の裏側に配置されているハリス収納部に収納することであり、ハリス付き釣り針のハリスと針先を該釣り針保持部によってその一方の側と他方の側に完全に区別して、ハリスは該ハリス収納部に収納し、針先は該釣り針保持部の該ハリス収納部とは反対側にそれぞれ収納することであり、該ハリス収納部はハリスを緩い束縛である程度自由に保持して収納しておくことができるハリス収納空間を有することであり、そして、複数のハリス付き釣り針を、それぞれ異なるハリス挿入穴を通して前記と同様に、ハリスはハリス収納部に収納し、針先は該釣り針保持部の該ハリス収納部とは反対側にそれぞれ収納することである。
【００８４】
本発明の釣り針収納具の釣り針保持部に設けられているハリスを挿入することができる前記ハリス挿入穴は、その一方の側から他方の側にハリスを挿入して、そのハリス挿入穴を通過させたハリスをハリス収納部に収納するものである。このハリス挿入穴は、少なくともハリスを通過させることができる穴であり、本発明の実施の形態例によっては、挿入させたハリスに続いてそのハリスの付けられている針軸を挿入できなくても良いものである。
【００８５】
また、本発明の釣り針収納具の釣り針保持部に設けられているハリスを挿入することができる前記ハリス挿入穴は、本発明の他の実施の形態例においては、ハリスの挿入に続いて、挿入したハリスを取り付けている釣り針の針軸をも挿入することが出来るように形成することができる。そして、この場合、たとえばイカリ針用の釣り針収納具に小さな釣り針のハリス付き釣り針を収納するような場合は、ハリスを前記ハリス挿入穴に挿入してハリス収納部に収納して後、針先を所定の場所に収納したとき、針軸が該ハリス挿入穴に届かないような場合もある。このような場合には、必ずしも針軸をハリス挿入穴に挿入しなくても針先を安定して保持し、ハリスをハリス収納空間で安全に収納することができ、本発明の効果を発揮することができるものであることは、以下の実施の形態の説明からも明確に推定することができるものである。
【００８６】
したがって、以下の説明においては、ハリスとそれの付けられている針軸を挿入できるハリス挿入穴を用いた実施の形態例を説明するが、本発明はこれに狭く限定されるものではなく、以下の説明は、ハリス挿入穴に挿入した針軸に関する特徴的な部分を除き、原則として、おおむねハリスのみを挿入するタイプのハリス挿入穴を用いた実施の形態例にも当てはまることであるので、説明の重複を避けて、以下の説明をもって、ハリスのみを挿入するタイプのハリス挿入穴を用いた実施の形態例の説明も兼ねることにする。
【００８７】
図１〜図３は、本発明の基本技術を説明する図で、ハリス付きイカリ針の一つの理想的な収納方法をモデル的に説明する図である。図１は釣り針収納具の断面図、図２は図１の釣り針収納具に用いられる釣り針保持部の例を説明する図で、図１の釣り針収納具の蓋を外した状態を図１の右方向から見た図、図３は図１の釣り針収納具に用いられる釣り針保持部の他の例を説明する図で、収納してある釣り針の例は異なるが、図１の釣り針収納具の蓋を外した状態を図１の右方向から見た図である。なお、図１は図２の直線Ｘ１−Ｘ２の位置の断面図である。
【００８８】
図１〜図３で、符号１００は釣り針収納具、１０１はハリス収納部のハリス収納空間、１０２，１０４，１１４は釣り針保持部、１０３は釣り針収納具１００の外周壁、１０５と１０６は蓋、１０９ａ〜１０９ｃ，１０９ｅはハリスのついたイカリ針、１１０ａ〜１１０ｃはハリスのついたイカリ針の針部、１１１ａ〜１１１ｃはイカリ針１０９ａ〜１０９ｃのそれぞれについているハリス，１０７ａ〜１０７ｆはハリス挿入穴、１０８ａと１０８ｂはそれぞれ釣り針保持部の中央部に設けられた凹部、１１２ａ〜１１２ｆ，１１３は釣り針保持部の周辺部近傍に設けられた凹部、Ｗ１は蓋を閉めたときの釣り針収納具の長さ、Ｗ２はハリス収納部のハリス収納空間のハリス挿入方向の寸法（以下、ハリス収納部の深さともいう）、φ１は釣り針収納具の直径である。
【００８９】
図２の釣り針保持部は、４本のイカリ針を収納できる構造になっている。図示のように、外周壁１０３の端部に装着された釣り針保持部１０２には、その中心部に凹部１０８ａが形成されており、その外側に４つのハリス挿入穴１０７ａ，１０７ｅ，１０７ｂ，１０７ｆが釣り針保持部の中心を中心とする円周上に形成されており、ハリス挿入穴１０７ａ，１０７ｅ，１０７ｂ，１０７ｆの周囲には凹部１１２ａ，１１２ｂ，１１２ｅ，１１２ｆ，１１３が形成されている。凹部１１２ａ，１１２ｂ，１１２ｅ，１１２ｆはそれぞれハリス挿入穴１０７ａ，１０７ｅ，１０７ｂ，１０７ｆの外側周囲に各ハリス挿入穴１０７ａ，１０７ｅ，１０７ｂ，１０７ｆを中心とする円周上に、各ハリス挿入穴からみて放射状に設けられている。凹部１１３は各隣り合ったハリス挿入穴に挿入されるイカリ針の針先を挿入するのに共用できるようにカギ型に形成されている。
【００９０】
図２のハリス挿入穴１０７ａには３本イカリ針１０９ａが後述のように収納されており、ハリス挿入穴１０７ｂには４本イカリ針１０９ｂが同様に収納されている。
【００９１】
図２において、３本イカリ針の針部１１０ａの３本の針先の１つは凹部１０８ａに挿入され、残り２つは図示の２つの凹部１１２ａに挿入されており、その結果、イカリ針１０９ａの針軸はハリス挿入穴１０７ａに深く挿入でき、イカリ針１０９ａは安定して保持される。また、４本イカリ針の針部１１０ｂの４本の針先の１つは凹部１０８ａに挿入され、残り３つのうちの凹部１０８ａに挿入された針先の反対側にある針先は凹部１１２ａに挿入され、他の２つは図示の２つのカギ型の凹部１１３に挿入されており、その結果、イカリ針１０９ｂの針軸はハリス挿入穴１０７ｂに深く挿入でき、イカリ針１０９ｂは安定して保持される。凹部１０８，１１２ａ，１１２ｂ，１１３は釣り針保持部の回転や多少の揺れなどに対してそこに挿入されている針先が動かないように作用する。
【００９２】
つぎに、図１の釣り針収納具１００へのハリス付イカリ針の収納について説明する。
【００９３】
図１において、外周壁１０３に装着してある釣り針保持部１０２に、イカリ針１０９ａについているハリス１１１ａを釣り針保持部１０２のハリス挿入穴１０７ａに入れ、ハリス１１１ａを釣り針保持部のハリス収納空間１０１側に通す。それに続いて、針部１１０ａの針軸のハリスのついている部分をハリス挿入穴１０７ａに挿入する。図１の釣り針収納具１００のハリス挿入穴１０７ａは、これに限られないが、断面が円形で、その直径は針軸のハリスのついている部分の外径よりも少し大きく、ハリスとハリスのついている部分の近傍の針軸は通すが、針軸の、針を束ねた部分が針先方向に広がっている部分は挿入できないような直径に形成されている。したがって、ハリス挿入穴１０７ａにハリス１１１ａとそれのついている針軸を挿入可能な部分だけ挿入した状態で、イカリ針１０９ａは、釣り針保持部の一方の側にハリス１１１ａを、他方の側に針部１１０ａを保持されている状態になる。このとき、針部１１０ａの針先を、図示のように、その１本が凹部１０８ａに，他の針先が凹部１１２ａ，１１３などに挿入された状態にする。イカリ針１０９ａはこのような状態に釣り針収納具１００に収納される。イカリ針１０９ｂも同様にして、ハリス１１１ｂと針部１１０ｂを釣り針収納具１００に収納する。
【００９４】
図１には、釣り針収納具１００のハリス収納空間の両側に釣り針保持部を設けて、双方の釣り針保持部のハリス挿入穴にハリスのついたイカリ針を挿入した状態を示してある。双方の釣り針保持部の外側には蓋１０５，１０６が取り付けられるようになっており、この蓋を取り付けた状態で各ハリス挿入穴に挿入された状態の各針部は、釣り針収納具１００に強い衝撃がかかってもハリス挿入穴から抜けないように、蓋によって抑制されるようになっている。
【００９５】
なお、図１の釣り針収納具は、ハリス収納部の深さＷ２がそこに収納されるハリスの長さより小さくない寸法に形成されている。
【００９６】
図示のように釣り針を収納して、双方の釣り針保持部が左右にくるように、釣り針収納具１００を横にしておくと、ハリス収納空間に収納されたハリスは、自重で図の下方に少したれ下がった状態になる。この例のように、外周壁１０３が円筒形の場合、その直径を適当に大きくない値にしておけば、前記自重によるハリスのたれ下がり量は小さくなる。図１の場合、外周壁１０３の内径は、イカリ針の針部の最大径の２倍よりも少し大きな値となっており、この寸法では、ハリスを長時間収納しておいても、ハリスに有害な変形を与えない。一例として、前記寸法Ｗ１が１５．４ｍｍ、φ１が５６ｍｍのものを作成したところ良好な結果を得ることができた。外周壁１０３の内径をイカリ針の針部の３倍にしてもハリスに有害な変形を与えない。
【００９７】
図１のような釣り針収納具を用いた理想的なハリス付イカリ針の収納方法は、一方の釣り針保持部、たとえば、釣り針保持部１０２のハリス挿入穴にだけハリス付イカリ針を収納し、釣り針収納具を釣り針保持部１０２を上にして置いておけば（以下、縦型使用ともいう）、ハリス収納空間１０１内に収納されているハリスは、自重でまっすぐたれ下がった状態になり、ハリスに強制的束縛が全く及ぼされない。
【００９８】
このような釣り針収納具使い方の場合、外周壁１０３の内径は、釣り針収納に必要なだけ大きくすることができ、多数のハリス付イカリ針を収納しておくことができる。
【００９９】
このような使い方においては、他方の釣り針保持部１０４は不要となり、その場合は、たとえば、平板状の壁で代用したり、外周壁１０３と一体に形成することも出来る。
【０１００】
図１の釣り針収納具は、販売店などにおいて使用することに適しているが、外周壁の外形寸法を適宜選択して、釣りに携行することも出来る。
【０１０１】
比較的大きな寸法の外周壁を用いて、前記縦型使用にして、理想的なハリス付イカリ針をいつも使用することが出来る環境をつくることができる。
【０１０２】
しかし、携帯の都合から小型化を望む要望に対しては、外周壁１０３の内径をイカリ針の針部最大径の２．５〜３．５倍にして、収納本数は少ないが、高品質のハリス付イカリ針の収納具にすることができる。
【０１０３】
また、図１に示した釣り針収納具１００のハリス収納空間１０１の代わりに、図示していないが、たとえば、図中でハリス挿入穴１０７ａの左側に（すなわち、ハリス収納空間１０１内に入るように）、ハリス挿入穴１０７ａから続いて、ハリスが自由に入る筒を設け、その筒にハリスを収納しておくことも出来る。この構造においては、特殊な場合を除いて、ハリスの自重によるたわみを心配しなくてもよい。
【０１０４】
このような釣り針収納具は、従来は、釣りに携行する収納具として全く用いられていなかった。
【０１０５】
衆知のように、鮎釣りにおいては、ハリスの有害な変形のないイカリ針を必要なときに安全に取り出せるように、使いやすい状態で携行することが重要なことである。
【０１０６】
しかしながら、従来、このような収納の発想がなかったため、それを商品化実現する動きのないのも必然の結果といえる。
【０１０７】
本発明の発明者は、この収納の原点に立脚して、釣りに有用なハリス付釣り針収納具の小型化と使い勝手の良さを種々追求した結果、携行に便利で、ある程度多くのハリス付イカリ針を収納することができ、安全性を損なわずに、小型化した、使いやすい釣り針収納具の発明をなすに至った。
【０１０８】
以下、小型化した釣り針収納具について説明する。その技術の特に顕著な特徴の１つは、ハリス収納部の深さ方向に対して、ハリスとそれの接続されている針軸を釣り針保持部から斜めに挿入するところにある。
【０１０９】
図４〜図６は本発明の小型化した釣り針収納具の例を説明する図で、図４は釣り針収納具本体を上から見た図、図５は図４の釣り針収納具本体を直線Ｘ３−Ｘ４の位置で切った断面図、図６は図５の断面図の部分に釣り針を挿入した状態を示す断面図である。
【０１１０】
図４〜図６において、符号１２０は釣り針収納具、１２６はハリス収納部のハリス収納空間、１２１は釣り針保持部、１２１ａは釣り針保持部１２１の裏面、１２４は釣り針収納具１２０の中央部に設けられた空洞部、１２４ａは空洞部１２４の裏側にあたる壁でハリス収納部の内壁の一部、１２５は釣り針収納具１２０の外周壁、１２５ａは外周壁１２５の内側の壁でハリス収納部の内壁の一部、１２７はハリスのついたイカリ針、１２７ａはハリスのついたイカリ針の針部、１２７ｂは針部１２７ａの針軸、１２７ｃは針部１２７ａの針先、１２８はイカリ針１２７についているハリス，１２２は第１の穴としてのハリス挿入穴（以下、第１の穴としてのハリス挿入穴を、単に、ハリス挿入穴ともいう）、１２２ａはハリス挿入穴１２２の入口、１２３はハリス挿入穴１２２に対応してその近くに設けられた第２の穴としての凹部、１３０は釣り針保持部１２１に設けられた穴、１３１は釣り針収納具１２０の底板、１３１ａは底板１３１の内壁でハリス収納空間の内壁の一部、１２９はハリス挿入穴１２２と凹部１２３が形成されているはめ込み部品としての釣り針保持部品で、釣り針保持部１２１の穴１３０にはめ込まれている。符号１２９ａと１２９ｂは釣り針保持部品１２９の組込部で、釣り針保持部品１２９を穴１３０にはめ込むときに、組込部１２９ａは釣り針保持部１２１の周囲を浅く挟むようにして、組込部１２９ｂは穴１３０の周囲を深く挟み込むようにしてはめ込むことが出来る構造になっている。
【０１１１】
図４で、釣り針収納具１２０の中央部にはその表側から裏側に貫通している空洞部１２４が設けられており、この空洞部１２４は、たとえば、釣り針収納具１２０にハリスのついたイカリ針を収納したり、釣り針収納具１２０に収納してあるイカリ針を取り出したりするときに、釣り針収納具を持っている手の指をこの空洞部に入れて釣り針収納具１２０を取り扱ったり、図示していないが、中央部に前記空洞部１２４に入る寸法・形状の突出部のあるケースに入れるときに、前記突出部と空洞部１２４が係合させて釣り針収納具１２０をケースに装着するのに用いることができる。
【０１１２】
図４と図５で、釣り針保持部１２１は釣り針を保持するなどの機能に関する構造部分を除いて表面と裏面が平行な平板になっており、釣り針収納具１２０の底板１３１も表裏が平行な平板になっていて、釣り針保持部１２１と底板１３１は平行になっている。
【０１１３】
図４と図５の釣り針収納具１２０は円筒を薄く切ったような扁平な形状になっている。釣り針保持部１２１は、図示のように、その円筒の切断面に相当する部分に形成されている。この例における釣り針保持部１２１が形成されている側と、釣り針収納具の底板１３１が形成されている側を、以下の説明において、小口側ともいうことにする。そして、図４と図５で外周壁１２５が形成されている側を、以下の説明において、外側部ともいうことにする。そして、後述の例のように、外側部に２枚の側壁とその間に凹部を設けた場合、前記外側部に、たとえば２枚の側壁の間に形成されている凹部のように形成されている凹部のことを、以下の説明において、外側部凹部ともいうことにする。
【０１１４】
ハリス挿入穴１２２と凹部１２３が形成されているはめ込み部品としての釣り針保持部品１２９は、図４と図５に示すように、釣り針保持部１２１に形成されているはめ込み穴１３０に図５の断面図のようにはめ込まれている。釣り針保持部１２１をたとえばシリコーンゴムで形成し、釣り針保持部品１２９をゴムやプラスチックなど種々の材料を用いてつくることができる。
【０１１５】
図４と図５に示したハリス挿入穴１２２は、そこに挿入される針軸が斜めに挿入されるように、すなわち、底板１３１の法線１３５に対して１０°〜７５°の大きさの角度θ１０をなすように前記針軸が挿入されるように形成されている。そして、ハリス挿入穴１２２の入口１２２ａは、図５の断面図で、組込部１２９ｂに近い方（図中で右の方）が前記角度θ１０の斜面になっており、組込部１２９ａに近い方（図中で左の方）が穴の入口が少し切り取られた構造になっている。前記斜面は組込部１２９ａの真下の近傍まで形成されている。ハリス挿入穴１２２のこのような構造により、ハリス挿入穴１２２にハリスと針軸を挿入するときは、入口の広がりによってガイドされて入れやすく、また、ハリス収納空間１２６に導かれたハリスは、底板１３１の内壁１３１ａに対して斜めに入るためと、ハリス挿入穴１２２が内壁１２５ａと内壁１２４ａの中間近傍にあるため、底板１３１の内壁１３１ａにも内壁１２５ａにも止められずにハリス収納空間１２６内を進行する。そして、ハリス収納部の内壁１２４ａは、ハリス収納空間１２６に導き入れられたハリスが、適当な曲率で、しかもスムーズに収納されるのを助ける働きをしており、ある程度の大きさの直径を有していた方が効果が大きい。
【０１１６】
このような構造のため、ハリス収納空間１２６に収納されたハリスは強く曲げられることもなく、その弾力性による自然の広がりを緩い束縛で保持されるため、ハリス収納空間１２６の寸法を、後述のようにかなり小型の寸法にしても、従来のようにハリスに有害な変形を与えることなく、ハリス付き釣り針を収納しておくことが出来る。
【０１１７】
ハリス収納部のハリス収納空間１２６は、図５に示した外周壁１２５の内側の壁１２５ａと釣り針保持部１２１の裏面１２１ａと底板１３１の内壁１３１ａと空洞部１２４の裏側のハリス収納部の内壁１２４ａで囲まれた空間で、前記空間を区切っている構造物やハリスの入口とともにハリス収納部を構成している。
【０１１８】
このような構造の釣り針収納具は、たとえばハリス付き３本あるいは４本イカリ針を１０本収納することが出来るようにして、ケースも含めて、８０ｍｍ以下の直径で３０ｍｍ以下の厚みのものを実現することができる。
【０１１９】
以上の基本的説明からも明らかなことであるが、本発明の最大の特徴の一つは、釣り針についているハリスに強制的な変形を極力与えずにハリス付き釣り針を収納することができることであり、ハリス収納空間という概念を強調したため、ハリス収納部とハリス収納空間を区別して説明したが、ハリス収納部は、ハリス収納空間と壁やハリス収納のための入口などハリス収納空間を形成している周囲の構造をも含むものであり、本発明の説明においては、特に区別の必要がある場合を除いて、ハリス収納部もハリス収納空間もハリス収納部ということにし、ハリス収納部１２６ａと称することにする。
【０１２０】
図６は、図４と図５を用いて説明した本発明の釣り針収納具の実施の形態例で図５と同じ位置のある釣り針収納具１２０に、ハリスのついた４本イカリ針を挿入した状態を説明する断面図で、ハリス挿入穴１２２の入口１２２ａから、イカリ針１２７のハリス１２８を挿入してハリス収納部１２６ａに導き、続いて、針軸１２７ｂをハリス挿入穴１２２に挿入する。このとき、針先１２７ｃを凹部１２３に図のように入れると、針軸１２７ｂがハリス挿入穴１２２に比較的奥まで入った状態で挿入され、針先１２７ｃは凹部１２３内におかれる。図示していないが、この状態で釣り針収納具１２０を蓋のついたケースに入れると、蓋の高さを適切に選べば、釣り針収納具１２０に強い衝撃がかかっても、蓋によって、イカリ針が抜けないように押さえることができる。
【０１２１】
さらに、図示していないが、たとえば、凹部１２３の針先の当たる部分の近傍にスポンジなど針先を差し込むものを配置して、そこに針先１２７ｃを差し込んで固定することができ、また、ハリス挿入穴１２２の入口１２２ａに針軸を固定する固定手段、たとえば、針軸を挟み込むスリット付きのゴムや、磁石などを配置して、ケースの蓋がなくても、強い衝撃によるイカリ針の抜けを防ぐことができる。
【０１２２】
つぎに、イカリ針の収納のさらなる他の実施の形態例について説明する。
【０１２３】
図７〜図１０は、本発明の実施の形態例を説明する斜視図で、釣り針保持部の第１の穴としてのハリス挿入穴の近くにスポンジもしくは第２の穴としての針先挿入穴を設けた例を説明する図である。
【０１２４】
図７〜図１０で、符号１５０，１６０，１７０，１８０は釣り針収納具、１５１，１６１，１７１，１８１は釣り針保持部、１５２，１６２，１７２，１８２は下側ケース、１５３ａ〜１５３ｃ，１６３ａ〜１６３ｃ，１７３ａ〜１７３ｃ，１８３ａ〜１８３ｃは釣り針保持部の第１の穴としてのハリス挿入穴、１５４ａ〜１５４ｃ，１６４ａ〜１６４ｃ，１７４ａ〜１７４ｃは第２の穴、１５５，１６５，１７５，１８５はそれぞれ下側ケースの中央部の突出部で、各釣り針保持部の中央部に設けられた空洞部から上に突き出ている部分、１５６，１６６，１７６，１８６はハリス付イカリ針（ハリスは各第１の穴から釣り針保持部の裏側にあるハリス収納部に入れられているので見えない），１５６ａ，１６６ａ，１７６ａ，１８６ａは針軸，１５６ｂ１〜１５６ｂ３，１６６ｂ１〜１６６ｂ４，１７６ｂ１〜１７６ｂ３，１８６ｂ１〜１８６ｂ３は針先、１６７，１７７，１８７はスポンジである
釣り針保持部の第１の穴としてのハリス挿入穴１５３ａ〜１５３ｃ，１６３ａ〜１６３ｃ，１７３ａ〜１７３ｃ，１８３ａ〜１８３ｃはそれぞれ釣り針保持部の一方の側である図の上側（各釣り針収納具の外側）から他方の側である釣り針保持部の裏側すなわち、各下側ケースの中側に向けて、イカリ針の針軸についているハリスを通過させることができ、当該針軸のはリスのついている部分を挿入することができるが、針軸の各針先のように開いている部分は挿入することが出来ない寸法になっている。
【０１２５】
釣り針収納具１５０，１６０，１７０，１８０は、それぞれ下側ケース１５２，１６２，１７２，１８２の入口に釣り針保持部１５１，１６１，１７１，１８１を着脱可能に装着することができる構造になっている。この装着方法は衆知の種々の方法を用いることができるが、たとえば、下側ケースの入口が、その開口部から奧に向かって狭くなるように形成しておき、釣り針保持部の裏側すなわちハリス収納部の内壁になる側を裏側より小さい直径に形成し、下側ケースに契合するようにしておく、釣り針保持部を下側ケースの入口に軽く押し入れて装着するなど、その装着方法は種々の方法を用いることができる。
【０１２６】
下側ケースには、図示していないが、図の釣り針保持部の上側から、釣り針保持部に収納してある釣り針の上部に軽く触れるか、あるいは釣り針の上部とわずかに隙間が生じるように閉めることができる上側ケースが、図示していない接続部によって接続されている。
【０１２７】
この上側ケースは、必ずしも用いなくても釣り針収納具として使用することが出来る。しかし、釣り針がイカリ針の場合に、釣り針収納具を１個だけ携帯して、使用する場合には、上側ケースをつけて携帯するのがより安全で使い易い。
【０１２８】
図７〜図１０に示した釣り針収納具は、下側ケースの裏側（図の下側、すなわち、ハリス収納部を形成する側の裏側）に凹部を設け、複数個の釣り針収納具を着脱可能に積み上げて多段式釣り針収納具を形成し、最上段に上側ケースを装着するようにしてもよく、また、下側ケースにそれぞれ上側ケースを装着したものを着脱可能に積み上げて、多段式釣り針収納具を形成してもよい。
【０１２９】
図７は、釣り針保持部１５１に、第１の穴と第２の穴を各一本のイカリ針用に設けた例で、ハリス付の３本イカリ針１５６を釣り針収納具１５０に収納した状態を示している。ハリスは第１の穴としてのハリス挿入穴１５３ａから針軸保持部１６１の下側へ挿入され、続いてハリスのついている針軸１５６ａが第１の穴１５３ａに挿入され、一本の針先１５６ｂ１が第２の穴１５４ａに挿入されている。図では、針先１５６ｂ２が隣の第２の穴１５４ｂに近いように見えるが、斜視図の書く角度によってそのように見えており、実際には、第２の穴１５４ｂに入る隣りのイカリ針とは干渉しないようになっている。以下、同様にして、第１の穴１５３ｂ，１５３ｃ，・・・と順次、別のハリス付イカリ針１５６を収納する。針先１５６ｂ１が第２の穴１５４ａに深く入っているため、針軸１５６ａは第１の穴１５３ａに斜めに安定して入っており、釣り針収納具１５０に多少の衝撃が加わっても、隣のイカリ針と絡まらない。
【０１３０】
しかしながら、安全度をより高めるには、前記のように、上ケースの使用がより好ましい。
【０１３１】
図８は、釣り針保持部１６１に、第１の穴と第２の穴をそれぞれ各一本のイカリ針用に対応させて設け、さらに、第１の穴の内側にスポンジを配置させた例である。図では、ハリス付４本イカリ針１６６が収納された例を示しており、第１の穴へのハリスの収納と針軸１６６ａの挿入、第２の穴への針先１６６ｂ１の挿入は図７で説明したのとおおむね同様である。
【０１３２】
図８の場合は、さらに、針先１６６ｂ４の先端部がスポンジ１６７に軽く差し込まれている。これにより、イカリ針の針先部が一層しっかりと収納されている。他の第１の穴、第２の穴へのハリス付イカリ針の収納もこれと同様に順次行うことが出来る。
【０１３３】
図９は、釣り針保持部１７１に第１の穴と第２の穴が対をなして各イカリ針用に設けられているのに加えて、釣り針保持部１７１の外周部にスポンジ１７７が設けられている例である。図は、ハリス付３本イカリ針１７６が収納されている例である。ハリスと針軸１７６ａの第１の穴１７３ａへの挿入は、図７，図８の場合と同様で、針先１７６ｂ１は、スポンジ１７７の上から刺して第２の穴１７４ａに挿入されている。
【０１３４】
これにより、イカリ針の針先部が一層しっかりと収納されている。
【０１３５】
他の第１の穴、第２の穴へのハリス付イカリ針の収納も、これと同様に順次行うことが出来る。
【０１３６】
図１０は、釣り針保持部１８１に、第１の穴を設け、前記第２の穴は設けずに、外周部にスポンジ１８７を設けた例である。図では、ハリス付３本イカリ針１８６を収納してある例を示している。ハリスと針軸の第１の穴への挿入は図７〜図９の場合と同様である。針先１８６ｂ１はスポンジ１８７に刺して固定しており、これによりイカリ針の針先部が固定される。
【０１３７】
図１１〜図１３は、イカリ針のハリスと針軸をハリス挿入穴に挿入して後、その針軸を固定する固定手段を説明する斜視図で、要部のみを拡大して示した部分図である。
【０１３８】
図１１〜図１３において、符号２００，２２０，２５０は釣り針収納具、２０１，２２１，２５１は釣り針保持部、２０２，２２２，２５２は下側ケース，２０３ａ〜２０３ｃ，２２３ａ，２５３ａは第１の穴としてのハリス挿入穴、２０４ａ〜２０４ｃ，２２４ａ，２５４ａは第２の穴、２０５，２２５，２５５はそれぞれ下側ケースの中央部の突出部で、各対応する釣り針保持部の中央部に設けられて空洞部から上に突き出ている部分、２０６，２２６，２５６はハリス付イカリ針（ハリスは各第１の穴から釣り針保持部の裏側にあるハリス収納部に入れられているので見えない）、２０６ａ，２２６ａ，２５６ａは針軸、２０６ｂ１〜２０６ｂ４，２２６ｂ１〜２２６ｂ４，２５６ｂ１〜２５６ｂ４は針先、２１１ａ〜２１１ｃは磁石、２１０，２３０，２６０は釣り針収納具の小口側、２３１，２６１はグリップ、２１５，２３５，２６５は釣り針収納具の外側部である。
【０１３９】
図１１〜図１３の釣り針収納具において、各部分の符号は図７〜図９と異なる符号を付けてあるが、第１の穴であるハリス挿入穴に挿入された針軸を固定する手段を、第２の穴とは別に設けたこと以外は図７〜図９の場合と同様であるので、針軸を固定する手段を中心に説明し、その他の部分については、図７〜図９を用いて行った説明との重複を避けることにする。
【０１４０】
図１１においては、ハリス付４本イカリ針２０６のハリスと針軸２０６ａを第１の穴２０３ｂから第１の穴２０３ｂの奧に形成されているハリス収納部と第１の穴に収納し、針先２０６ｂ１を第２の穴２０４ｂに収納し、第１の穴２０３ｂと第２の穴２０４ｂの間に設けた針軸固定手段としての磁石２１１ｂによって針軸２０６ａを吸引し、針軸を固定している。これによって、釣り針収納具２００の耐衝撃性を高めている。
【０１４１】
図１２においては、ハリス付４本イカリ針２２６を収納した状態を指名しているが、第１の穴２２３ａと第２の穴２２４ａの間に、針軸固定手段として、弾性体の輪の上部にスリットを入れた形状のクリップ２３１を設けてあり、第１の穴２２３ａにハリスと針軸２２６ａを入れ、第２の穴２２４ａに針先２２６ｂ１を入れたイカリ針２２６の針軸２２６ａの一部をクリップ２３１に挟み込んで固定している。これにより、釣り針収納具２２０の耐衝撃性を高めている。
【０１４２】
図１３においては、針軸固定手段として、図１２のクリップ２３１の代わりに、弾性体のＶ字形クリップ２６１を設け、図１２の場合と同様に、第１の穴２５３ａに挿入されている針軸２５６ａを挟み込んで固定し、耐衝撃性を高めている。
【０１４３】
図１４〜図１７は、本発明の釣り針収納具の実施の形態例としての釣り針保持部におけるハリス挿入穴の傾斜角度について説明する図である。
【０１４４】
図１４と図１５は、釣り針収納具底板と釣り針保持部がともに平行平板の例について説明する断面図、図１６と図１７は釣り針収納具の底板は平行平板で、釣り針保持部が盛り上がった形状をしている例の断面図である。図１４〜図１７のいずれの例も、釣り針収納具の底部の周囲から立ち上がっている外周壁の高さが一様で外周壁の上端に釣り針保持部が着脱可能に装着されている。
【０１４５】
図１４〜図１７で、符号２７０，２８０，２９０，３００は釣り針収納具、２７１，２８１，２９１，３０１は釣り針保持部、２７２，２８２，２９２，３０２は下側ケースの外周壁、２７３，２８３，２９３，３０３は下側ケースの底板、２７４，２８４，２９４，３０４はハリス収納部、２７５，２８５，２９５，３０５は下側ケースの突出部、２７６，２８６，２９６，３０６はハリス挿入穴，２７６ａ，２８６ａ，２９６ａ，３０６ａはハリス挿入穴の実質中心線、２７６ｂ，２８６ｂ，２９６ｂ，３０６ｂは下側斜面、２７６ｃ，２８６ｃ，２９６ｃ，３０６ｃはハリス挿入穴の上側面，２７１ａ，２８１ａ，２９１ａ，３０１ａは釣り針保持部の底面に平行な直線、θ２０はハリス挿入穴の実質中心線と釣り針保持部の裏面に平行な直線とのなす角度である。図１４〜図１７は、主として、ハリス挿入穴の角度θ２０の効果によって、ハリス収納部にハリスをいかに容易に、有害な変形をさせずに収納できるかを説明するための図であり、その他の部分は図４〜図１３と異なる符号を付しているが、部分的な違いを含んで図４〜図１３から判断できるところが多いため、図４〜図１３で説明した事項については、説明の重複を避けることにする。
【０１４６】
図１４と図１５で、釣り針保持部２７１，１８１が平行平板に穴を開けた形状になっており、ケースの底板２７３，２８３も平行平板でその周囲に外周壁２７２，２８２が形成されている。そして、釣り針保持部２７１，２８１と底板２７３，２８３は平行になっている。釣り針保持部２７１，２８１は、ケースの外周壁２７２，２８２に着脱可能に装着されている。
【０１４７】
ハリス挿入穴２７６，２８６は、その断面における斜面２７６ｂ、２８６ｂならびに上側面２７６ｃ，２８６ｃが平行になっており、実質中心線２７６ａ，２８６ａは斜面の２７６ｂ，２８６ｂに平行でハリス挿入穴２７６，２８６の中心を通る線に一致する。
【０１４８】
しかし、ハリス挿入穴の斜面はそこの挿入される針軸の傾きを実質的に決めることになり、針軸挿入のし易さなどから、曲面に形成されることがある。また、ハリス挿入穴の上側面は、図４〜図１３を用いた説明でも記したように、ハリスと針軸を挿入する側すなわち図１４と図１５の図で上側の開口部の近傍や、ハリス収納部側の開口部の近傍は、穴の長さ方向の中央部よりも広がった形状に形成し、収納の容易さと安定化を図る場合がある。このような場合は、ハリス挿入穴の実質中心線は、そこに収納される針軸の収納時の傾きを主として決める斜面２７６ｂ，２８６ｂの傾きに平行で穴の中心を通る直線を意味する。
【０１４９】
図１６，図１７で、底板２９３，３０３は平行平板になっているが、釣り針保持部２９１，３０１は、図のように断面形状が台形をしており、その下面は底板２９３，３０３に平行な平面となっている。
【０１５０】
ハリス挿入穴２９６，３０６は、穴の長さ方向（深さ方向）の中心部分が一部均一な断面になっているか、その両側の開口部に向けて漸次広がっている形状になっている。この形状によって、ハリスと針軸の挿入が容易で、安定した収納ができ、ハリス収納部へのハリスの挿入が容易で有害な変形のないハリスの収納が可能である。
【０１５１】
図１４〜図１７において、釣り針保持部の中央部には下側ケースの中央部に形成された突出部を入れることができる空洞部あるいは貫通穴（これらを総称して空洞部とも称する）が形成されている。
【０１５２】
図１４〜図１７に示した角度θ２０の値は、２０°〜５０°の大きさにすると、ハリス収納の信頼性が高く、ハリスと針軸の収納が容易である。
【０１５３】
図１８〜図２０は、本発明の釣り針収納具の実施の形態例を説明する要部の断面図で、図１８と図１９は上側ケースを開けた状態の図、図２０は図１９の釣り針収納具の上側ケースを閉めた状態の図ある。図中、ハリスが大きく曲げられているように描かれているが、断面から奥の方に収納されているハリスの見える部分を強調して曲げて書いたものであり、実際の収納状態は大きく曲がっていない。
【０１５４】
図１８〜図２０で、符号３１０，３３０は釣り針収納具、３１１，３３１は釣り針保持部、３１２，３３２は下側ケース、３１２ａ，３１２ｂは下側ケース３１２の底面としての実質的な平坦面（釣り針収納具３１０を平面上においたときの前記平面に実質的に平行な面）、３１３，３３３は下側ケースの外周壁、３１４，３３４は下側ケースの中央部に形成されている突出部、３１５，３３５は上側ケース、３１６，３３６は下側ケースと上側ケースの接続部、３１７ａ，３３７ａは上側ケースについている下側ケースとの契合部、３１７ｂ，３３７ｂは下側ケースについている上側ケースとの契合部、３２０，３２１，３４０，３４１は釣り針保持部に形成されている第１の穴としてのハリス挿入穴、３２５，３２６，３４５，３４６はハリス付イカリ針、３２５ａ，３２６ａ，３４５ａ，３４６ａは針軸、３２５ｂ，３２６ｂ，３４５ｂ，３４６ｂ  は針軸についているハリス、３２７，３４７はハリス収納部である。
【０１５５】
図１８〜図２０で、釣り針保持部３１１，３３１の中央部には、下側ケースの突出部３１４，３３４を入れることができる空洞部３１１ａ，３３１ａが形成されており、図中で突出部３１４，３３４が空洞部３１１ａ，３３１ａと契合して釣り針保持部３１１，３１３が下側ケースの所定位置（図示の位置）で位置決めされて（すなわち、下側ケースの、図示の、所定の高さで止められて）いる様子が示されている。
【０１５６】
図１８〜図２０の釣り針収納具は、上から見た平面形状がおおよそ円形をしており、図１８〜図２０は、その円形の中心を通る垂直な面で切った状態の断面図である。
【０１５７】
図１８は、釣り針保持部３１１が、リング状の円盤状をしており、図示のように外周部よりも内周部の方が下側ケース内で下がった状態に形成された例である。
【０１５８】
図１９は釣り針保持部３３１が、リング状の円盤状をしており、図１８とは逆に、外周部よりも円周部の方が下側ケース内で高くなっている状態に形成されている。
【０１５９】
すなわち、図１８は釣り針保持部の上面が内側に傾斜した面、図１９は釣り針保持部の上面が外側に傾斜した面になっている。
【０１６０】
この釣り針保持部の上面の傾きは、イカリ針の収納に関する使い勝手と収納密度に大きな影響を及ぼす。
【０１６１】
図２０は図１９の釣り針収納具の上側ケースを閉めた状態を表している。
【０１６２】
図１８〜図２０は断面図であるが、煩雑さを避けるため、断面のみを示してあり、断面の位置からその奥に見える部分を記載していない。そこで、釣り針保持部をより明確に示すため、図２１と図２２に、上面が内側に傾斜した面を有する釣り針保持部を示す。
【０１６３】
図２１と図２２は本発明の釣り針収納具の実施の形態例に用いられている上面が内側に傾斜した釣り針保持部の図で、図２１は釣り針保持部の半分を示した平面図でイカリ針を２個収納してある状態の図、図２１は図２０のＸ５−Ｘ６の位置の断面図である。
【０１６４】
図２１と図２２で、符号６００は外周形状が円形の釣り針保持部、６０１は釣り針保持部６００の上面、６０２は上面６０１の上部平坦部、６０３は上面６０１の釣り針保持部の周辺傾斜部、６０４は釣り針保持部６００の中央部に形成されている空洞部、６０５は空洞部６０４を形成している釣り針保持部の内側面、６０６ａ，６０６ｂ，６０６ｃは第１の穴としてのハリス挿入穴、６０７ａ，６０７ｂ，６０７ｃは第２の穴としての針先を挿入する穴、６０９ｂ，６０９ｃはハリス（ハリス挿入穴６０６ｂ，６０６ｃから釣り針保持部の上面６０１の裏側にあるハリス収納部に収納されていて見えない）のついたイカリ針、６１０，６１１は釣り針保持部の中心線、６０８は中心線６１０，６１１の交点を中心とする円である。第１の穴６０６ａ、６０６ｂ、６０６ｃは円６０８上に位置しており、図示していないが、第２の穴６０７ａ，６０７ｂ，６０７ｃも円６０８と同じ中心を有し、異なる半径を有する円周上にある。このように配置することにより、多数の釣り針を収納しても、収納してある釣り針を取り出しやすくなっている。符号６２０はハリス収納空間を有するハリス収納部であるが、釣り針保持部を図示していないケース（たとえば、図１８の下側ケース３１２）に装着した状態で、釣り針保持部６００の裏側と下側ケース内側面によって形成されるハリス収納部である。
【０１６５】
図２１と図２２で、第１の穴と第２の穴は一部を、部分的に拡大して誇張して示してあり、全部を示していない。
【０１６６】
釣り針保持部の上面６０１は図２２からわかるように、外側よりも内側が凹んで内側に傾斜した面になっており、針先の入る第２の穴よりもハリスと針軸が入っている第１の穴であるハリス挿入穴の方が内側で低い状態に形成されている。したがって、そこに収納されるハリス付きイカリ針は、図２１のように、針先が内側に向き、しかも下方に向いている。この状態は、釣り針を一本取り出す場合、一本のイカリ針の一本の針先をつまんで、まず傾斜面６０１の上方へ少し引き上げ、次に指が他のイカリ針に触れないように注意して釣り針保持部の周辺部の方向へ引き出すことにより、容易にそして安全に取り出すことができる。
【０１６７】
つぎに、ハリス挿入穴の方向について説明する。
【０１６８】
図２３〜図２５は、ハリスと針軸の収納方向を説明する図で、上から見た形状が円形の扁平な釣り針収納具における釣り針保持部を上から見た図であり、釣り針保持部を約半分だけ示した図である。
【０１６９】
図２３〜図２５で、符号３５１は釣り針保持部、３５２は釣り針保持部３５１の下に形成されているハリス収納部の外側の内壁の位置を示す点線、３５３は図示していないハリス収納部の内周壁の外側で釣り針保持部の中央部の空洞部を形成している釣り針保持部３５１の内側面、３５４は釣り針保持部３５１の中央部に形成された空洞部（貫通穴）で、下側ケースの突出部が挿入される。符号３５５は第１の穴としてのハリス挿入穴、３５５ｃは第１の穴の中心、３５６は第２の穴としての針先を挿入する穴、３５６ｃは第２の穴３５６の中心、３６０は第１の穴の中心３５５ｃと釣り針収納具の中心軸線でもある釣り針保持部の中心軸線とを結んだ釣り針保持部の中心軸線に直交する直線、３６１は図の平面内で第１の穴の中心３５５ｃを通り前記直線３６０に直交する直線、３６２は第１の穴の中心３５５ｃと第２の穴の中心３５６ｃを通る直線、θ３０は直線３６１と直線３６２のなす鋭角の方の角度である。角度θ３０は、図２３，図２４で第１の穴の中心３５５ｃを中心にして、直線３６３もしくは直線３６４を９０°より少ない回転角で反時計回りに回転させると直線３６１に重なる状態のときの角度θ３０を正の値の角とし、時計回りに回転させると直線３６１に重なる状態の時の角度θ３０を負の値と定義する。
【０１７０】
図２３は直線３６１と直線３６２が重なる状態の図で、角度θ３０は０°である。
【０１７１】
図２４は角度θ３０が負の角度の状態を示し、図２５は角度θ３０が正の状態を示している。
【０１７２】
図２３〜図２５で、角度θ３０が＋７０°を越えない状態にすると、第１の穴３５５から挿入したハリスの先がハリス収納部の内周壁３５４ａ（この場合、釣り針保持部の空洞部の裏側の壁で構成されている）に突き当たって止められて大きく変形されることなく、ハリスの先は内周壁３５４ａに触れても、そこをすべってハリス収納部内に進行させされる。また、角度θ３０を−７０°を越えない絶対値を有する角度にすると、第１の穴に挿入されたハリスの先端が、ハリス収納部の外側の内壁３５２に突き当たって止められて大きく変形されることなく、ハリスの先は内壁３５２に触れても、そこをすべってハリス収納部内に進行させられる。
【０１７３】
このように、角度θ３０の値はハリスの収納における変形防止と挿入し易さの向上にとって重要な要素である。角度θ３０の特に望ましい値は、その絶対値が３０°以下である。
【０１７４】
そして、この角度θ３０は、−７０°〜＋７０°の間でそこに収納されるイカリ針の収納密度との兼合で選択されることが好ましい。
【０１７５】
以上、図４〜図２５を用いて、扁平形状の釣り針収納具本体の小口側に釣り針保持部を形成した本発明の実施の形態例をいくつか説明したが、前記説明から明らかなように、本発明の釣り針収納具は、その構成上矛盾を生じない範囲において、前記各種例の特徴を適宜組み合わせた構成の釣り針収納具として実現することができるものである。
【０１７６】
つぎに、本発明の釣り針収納具の他の例として、釣り針保持部を扁平形状の釣り針収納具本体の外側部凹部に形成した例を説明する。
【０１７７】
図２６〜図２８は、本発明の釣り針収納具の実施の形態例として釣り針保持部を釣り針収納具本体の外側部凹部に設けた例を説明する図で、図２６と図２７は側面図、図２８は図２６の直線Ｘ１０−Ｘ１１の位置における断面図である。
【０１７８】
図２６〜図２８で、符号５００は釣り針収納具本体、５０１は釣り針収納具本体の外側部凹部、５０２，５０３は側壁、５０５は釣り針保持部、５０５ａは外側部凹部の底部、５０６ａ〜５０６ｄは第１の穴としてのハリス挿入穴、５０７ａ〜５０７ｄは第２の穴としての針先を挿入する凹部、５０８はイカリ針、５１０はハリス収納部、５１１はハリス収納部の外周壁、５１２はハリス収納部の内周壁、５１５は空洞部である。
【０１７９】
第１の穴と第２の穴は外側部凹部５０１の底部５０５ａの幅方向の中心近傍に、そこに収納されるイカリ針の寸法に適する寸法で、かつ、隣に収納されるイカリ針と不必要にぶつからない間隔で形成されている。
【０１８０】
第１の穴から挿入されたハリスは、底部５０５ａの裏側に形成されているハリス収納部５１０に収納される。
【０１８１】
図２６は、釣り針収納具の外側部凹部にハリスの付いた３本イカリ針が１本収納されている状態を示しており、この直線Ｘ１０−Ｘ１１の位置の断面を図２８に示している。
【０１８２】
図２７は図２６の釣り針収納具の外側部凹部の裏側を示したものであり、第１の穴と第２の穴が設けられている。
【０１８３】
図２８において、ハリス収納部５１０は、外周壁５１１と内周壁５１２に挟まれて形成されており、第１の穴の傾斜角度を、前記各種実施の形態例と同様に、ハリス収納部５１０に第１の穴から挿入されたハリスの先端が、外周壁５１１や内周壁５１２に突き当たって大きく変形されることがないように選定することによって、変形の少ない、使い勝手のよい釣り針収納具を得ることができる。
【０１８４】
空洞部５１５は、釣り針収納具本体５００の小口側の一方の側から他方の側に貫通して設けられており、たとえば、ケースとの係合などに用いることができる。たとえば、この空洞部にケースの中空状の突出部を挿入し、釣り針収納具のケースを開閉するときに、釣り針収納具のケースを持っている手のいずれかの指を入れ、その指と他の指でケースを挟むようにすると、安定した状態で簡単にケースを開閉することができる。
【０１８５】
図２９〜図３１は、本発明の釣り針収納具の例として、図２６〜図２８で説明した釣り針収納具本体５００にケースを取り付けた例を説明する図で、図２９は、ケースの蓋を閉めた状態の正面図、図３０は上側蓋を除去して外側部側から見た側面図、図３１はケースの蓋を開けた状態で、釣り針収納具本体５００の部分は図２８の断面図を用い、ケースの部分は正面図を用いたものである。
【０１８６】
図２９〜図３１で、符号５２０は釣り針収納具、５２０はケース、５２２は上側ケース、５２３は上側ケース５２２と下側ケース５２１の接合部、５２４はケースの開口部、５２５は下側ケースの側面突部、内部に、中に取り付けた釣り針収納具本体５００の空洞部に係合して、下側ケースと釣り針収納具本体５００を接続している部品が組み込まれている。
【０１８７】
図２９〜図３１に示したようなケース付の釣り針収納具５２０は、小型で多数のハリス付イカリ針をハリスに有害な変形を与えずに、また、ハリス同士、針部同士、あるいはハリスと針部が絡まらないように収納することができるのに加えて、釣りに携行して使用する場合、釣り針収納具を片方の手で持ち開閉することができ、そこに収納されているイカリ針を短時間で、安全に取り出すことができるなど、多くの利点を有するものである。
【０１８８】
図２６〜図３１に示した本発明の実施の形態例において，図には示していないが，前記第２の穴以外の針部の固定手段を外側部凹部の針部の位置する近傍に設けることができ，前記固定手段としては，図１１〜図１３に示したようなクリップや磁石，あるいは、外側部凹部の少なくとも一部たとえば針先の位置する部分にスポンジを，ハリスの挿入を妨げないように，たとえばハリス挿入穴をさけて配置し，収納してある釣り針が衝撃によって有害に動かないように，本発明の釣り針収納具の耐衝撃性を高めることができる。
【０１８９】
以上、本発明の釣り針収納具を、図面を使用して詳細に説明したが、本発明はこれらの例に狭く限定されるものではなく、各種実施の形態例の種々の特徴を、用途や要望に合わせて適宜組合せた釣り針収納具を構成することができるものである。
【０１９０】
図４〜図２８を用いて説明した釣り針収納具は、合成ゴムを用いた型成形技術によって形成することができる。合成ゴムとして、たとえば、シリコーンゴムなどの弾力性のある材料を用いて製造することができる。あるいは、、合成ゴムとして、ＮＢＲやウレタンゴムを用いることもできる。これらの合成ゴムは、成形技術が豊富に蓄積されており、量産に適している。また、部分的にシリコーンゴムと他のゴムを組み合わせて、たとえば、硬さと針の差し込み易さを適宜利用したものとして構成することもできる。
【０１９１】
また、本発明の釣り針収納具の少なくとも一部を紙で形成することができる。紙で形成した場合、製造コストが安く、耐環境性がよいなど多くの利点がある。たとえば、紙に溝やスリットなどの切り込み部を設けて、そこにたとえば針先を引っかけて保持すれば、切り込み部のところを含めて前記切り込み部の一方の側が釣り針保持部で、他方の側をハリス収納空間にすることができ、切り込み部をハリス挿入穴に代えることができる。このような切り込み部によるハリス挿入穴も、本発明でいうハリス挿入穴である。
【０１９２】
図４〜図３１を用いて説明した本発明の釣り針収納具は、ハリス付きイカリ針の収納においては特に顕著な効果を発揮するものである。そして、各図を用いての説明では触れなかったが、本発明の釣り針収納具本体やそれをケースに入れた釣り針収納具では、釣り針保持部や釣り針収納具本体を回転できるように構成することにより、釣り針を取り出す場合に、いつも同じ場所から取り出すことができるなど、本発明は使い勝手の極めて良い釣り針収納具を提供することができるものである。
【０１９３】
図３２と図３３は、本発明の実施の形態例としての釣り針収納具を示す図で、図３２は平面図、図３３は図３２のＸ７−Ｘ８の位置で切った断面を示す図である。
【０１９４】
図３２と図３３で、符号７００は釣り針収納具、７０１は釣り針保持部、７０６ａ〜７０６ｆは第１の穴としてのハリス挿入穴、７０７ａ〜７０７ｆは第２の穴としての針先を入れる穴、７０８ａ〜７０８ｆはハリスをハリス挿入穴に通してハリス収納部に収納した状態のハリス付きイカリ針、７０９ａ〜７０９ｆはそれぞれイカリ針７０８ａ〜７０８ｆに取り付けられているハリス、７１０はハリス収納部である。
【０１９５】
図３２と図３３からわかるように、この釣り針収納具７００は、この形態に限定されるものではなく、図示の状態よりも遙かに多くのイカリ針を収納できるように構成することができることは自明である。
【０１９６】
図３２で、図の右側よりも左側の方が高密度にイカリ針を収納することができるようになっている。これは、構成の自由度の大きさを説明するために図示したものであり、この基本技術を適用した多くのバリエーションが可能である。
【０１９７】
図３３に、図３２のハリス挿入穴から挿入されたハリスと針軸および針先が収納されている状態を示してある。ハリス挿入穴７０６ａ〜７０６ｃから挿入されたハリス７０９ａ〜７０９ｃはその針先が図中でハリス収納部７１０内を左から右の方向へ移動するように挿入されており、ハリス挿入穴７０６ｄ〜７０６ｆから図中でハリス収納部７１０内を右から左の方向へ先端が移動するように挿入されたハリス７０９ｄ〜７０９ｆとハリス収納部７１０内で図示のように互いに逆方向に交差する方向に挿入されている。ハリス収納空間はハリスの直径に比べて十分に大きいので、ハリスは他のハリスに触れはするものの、その弾力性も手伝って、あまり強く絡み合わないで収納される。したがって、この状態で長時間収納しておいても、ハリスに従来のような有害な変形を生じることがない。
【０１９８】
図３３でわかるように、この実施の形態例においては、イカリ針の針軸をハリスの挿入に続いてハリス挿入穴に挿入し、針先は第２の穴に入れて保持しているため、ハリスと針先は、釣り針保持部７０１の一方の側と他方の側に仕切られて収納されているので、従来のようなハリスと針先が絡み合って取り出しにくくなったり、急いで取り出すなどにより、他のハリスを損傷してしまうことがない。
【０１９９】
図３２，図３３に示した釣り針収納具の一部に、たとえば、針軸のハリスの取り付け部から針先までが短くて第１の穴であるハリス挿入穴に針軸を入れると針先が第２の穴に届かないようなハリス付き釣り針を収納したい場合には、ハリスを第１の穴に通し、針軸は第１の穴に挿入しないで、針先を第２の穴に入れて収納すると、針先が第２の穴で安定して保持されるため、本発明の前記効果を損なうことなく収納することができる。
【０２００】
図３２と図３３の釣り針収納具７００に、図示していないが、蓋を取り付けて使用することが安全性の面からより好ましく、あるいは、別に針部の固定手段を設けることにより、収納した釣り針を信頼性高く収納しておくことができ、本発明の効果を一層大きくするものである。その固定手段としては、たとえば、図３２と図３３には図示していないが、釣り針保持部７０１の上面の針先が当たる部分にスポンジを貼ったり、あるいは針軸の近くにクリップを配置して針軸あるいは針先を挟み込んだり、あるいは針の近くに磁石を配置して釣り針を引きつけて保持したりすることにより、さらに効果的に針先を保持することができる。
【０２０１】
以上、図面を使用して、本発明の実施の形態を説明してきたが、本発明はこれに狭く限定されるものではなく、本発明の技術思想に基づいて、多くのバリエーションを可能としているものである。
【０２０２】
たとえば、本発明の釣り針収納具本体は、それ自体に釣り針保持部とハリス収納部を備えているものと、釣り針収納部のみの状態に見えるもので、ケースなど釣り針保持部以外の器に釣り針保持部を取り付けて該釣り針保持部の裏側とそれを装着したケースなどの器とでハリス収納部を形成するものとがある。後者も本発明でいう釣り針収納具本体である。そして、後者のようなハリス収納部も、本発明でいう釣り針収納具本体に形成されているハリス収納部である。
【０２０３】
第１の穴としてのハリス挿入穴と針先を入れる第２の穴を、図４〜図６に示した第１の穴としてのハリス挿入穴と第２の穴としての針先を入れる凹部とを有するはめ込み部品として作成し、釣り針保持部に形成された穴にはめ込んで釣り針収納具本体を構成することもできる。
【０２０４】
【発明の効果】
以上、本発明の釣り針収納具を、釣り針収納具本体の説明を中心に、釣り針収納具本体をケースに取り付けた釣り針収納具の説明と合わせて説明したが、本発明の釣り針収納具は、本発明の基本的技術思想である、ハリス付き釣り針をハリスと針部をハリス挿入穴を有する釣り針保持部で仕切って収納すること、ハリスはハリス収納空間にあまり強く束縛することなく収納しておくことなどにより、従来のようにハリスに有害な変形を与えないでハリス付き釣り針を収納しておくことができるとともに、必要に応じてハリス付きのイカリ針のような釣り針を、安全に、素早く取り出すことができる、釣りに携行しやすい小型で高品質で信頼性の高い釣り針収納具を安価に提供することができるという大きな効果をもたらすものである。
【図面の簡単な説明】
【図１】本発明の基本技術を説明する断面図である。
【図２】本発明の基本技術を説明する図である。
【図３】本発明の基本技術を説明する図である。
【図４】本発明の小型化した釣り針収納具の例を説明する図である。
【図５】図４の釣り針収納具の直線Ｘ３−Ｘ４の位置の断面図である。
【図６】図５の釣り針収納具に釣り針を挿入した状態を示す断面図である。
【図７】本発明の実施の形態例における釣り針保持部に第１の穴と第２の穴を設けた例を説明する斜視図である。
【図８】本発明の実施の形態例における釣り針保持部に第１の穴と第２の穴を設け、第１の穴の内側にスポンジを配置させた例を説明する斜視図である。
【図９】本発明の実施の形態例における釣り針保持部の外周部にスポンジを設けた例を説明する斜視図である。
【図１０】本発明の実施の形態例における釣り針保持部に、第１の穴を設け、外周部にスポンジを設けた例を説明する斜視図である。
【図１１】本発明の実施の形態例において、針軸を固定する固定手段としての磁石を設けた例の斜視図である。
【図１２】本発明の実施の形態例において、針軸を固定する固定手段としてのクリップを設けた例の斜視図である。
【図１３】本発明の実施の形態例において、針軸を固定する固定手段としてのクリップを設けた例の斜視図である。
【図１４】本発明の実施の形態例において、釣り針保持部におけるハリス挿入穴の傾斜角度について説明する図である。
【図１５】本発明の実施の形態例において、釣り針保持部におけるハリス挿入穴の傾斜角度について説明する図である。
【図１６】本発明の実施の形態例において、釣り針保持部におけるハリス挿入穴の傾斜角度について説明する図である。
【図１７】本発明の実施の形態例において、釣り針保持部におけるハリス挿入穴の傾斜角度について説明する図である。
【図１８】本発明の実施の形態例を説明する断面図で、釣り針収納具の上側ケースを開けた状態の図である。
【図１９】本発明の実施の形態例を説明する断面図で、釣り針収納具の上側ケースを開けた状態の図である。
【図２０】図１９の釣り針収納具の上側ケースを閉めた状態の断面図である。
【図２１】本発明の実施の形態例における内側に傾斜した釣り針保持部の半分を示した平面図である。
【図２２】図２１の釣り針保持部のＸ５−Ｘ６の位置における断面図である。
【図２３】本発明の実施の形態例におけるハリスと針軸の収納方向を説明する図である。
【図２４】本発明の実施の形態例におけるハリスと針軸の収納方向を説明する図である。
【図２５】本発明の実施の形態例におけるハリスと針軸の収納方向を説明する図である。
【図２６】本発明の釣り針収納具の実施の形態例として釣り針保持部を釣り針収納具本体の外側部凹部に設けた例を説明する側面図である。
【図２７】本発明の釣り針収納具の実施の形態例として釣り針保持部を釣り針収納具本体の外側部凹部に設けた例を説明する側面図である。
【図２８】本発明の釣り針収納具の実施の形態例として釣り針保持部を釣り針収納具本体の外側部凹部に設けた例を説明する図で、図２６の直線Ｘ１０−Ｘ１１の位置における断面図である。
【図２９】図２６〜図２８の釣り針収納具本体をケースに収納した例を説明する図である。
【図３０】図２６〜図２８の釣り針収納具本体をケースに収納した例を説明する図である。
【図３１】図２６〜図２８の釣り針収納具本体をケースに収納した例を説明する図で、図２８の断面図と図２９の正面図を部分的に併用して示した図である。
【図３２】本発明の実施の形態例としての釣り針収納具を示す平面図である。
【図３３】図３２のＸ７−Ｘ８の位置で切った断面を示す図である。
【図３４】従来の典型的なハリス付き釣り針の収納具の例を説明するための斜視図である。
【図３５】従来の釣り針収納具の典型的な他の例を説明するための斜視図である。
【符号の説明】
１，１１，１００，１２０，１５０，１６０，１７０，１８０，２００，２２０，２５０，２７０，２８０，２９０，３００，３１０，３３０，５２０：釣り針収納具
２，１２，５２０：ケース
３，１３，１０５，１０６：蓋
４，１４：蝶番
５，１６７，１７７，１８７：スポンジ
６，６ａ，６ｂ，１０９ａ〜１０９ｃ，１０９ｅ，１２７，６０９ｂ，６０９ｃ：イカリ針
７，７ａ，７ｂ，１７，１１１ａ〜１１１ｃ，１２８，３２５ｂ，３２６ｂ，３４５ｂ，３４６ｂ：ハリス
８：溝
１５，２１１ａ〜２１１ｃ：磁石
１６：釣り針
１０１，１２６：ハリス収納空間
１０２，１０４，１１４，１２１，１５１，１６１，１７１，１８１，２０１，２２１，２５１，２７１，２８１，２９１，３０１，３１１，３３１，３５１，５０５，６００：釣り針保持部
１０７ａ〜１０７ｆ，１１２ａ〜１１２ｆ，１１３，１２２，１５３ａ〜１５３ｃ，１６３ａ〜１６３ｃ，１７３ａ〜１７３ｃ，１８３ａ〜１８３ｃ，２０３ａ〜２０３ｃ，２２３ａ，２５３ａ，２７６，２８６，２９６，３０６，３２０，３２１，３４０，３４１，３５５，５０６ａ〜５０６ｄ，６０６ａ，６０６ｂ，６０６ｃ：ハリス挿入穴（第１の穴）
１０８ａ，１０８ｂ，１２３，５０７ａ〜５０７ｄ：凹部（第２の穴としての凹部）
１１０ａ〜１１０ｃ，１２７ａ：針部
１２１ａ：裏面
１２２ａ：入口
１２４，３１１ａ，３３１ａ，３５４，５１５，６０４：空洞部
１２４ａ，１２５ａ：内壁
１２５，２７２，２８２，２９２，３０２，３１３，３３３，５１１：外周壁
１２７ｂ，１５６ａ，１６６ａ，１７６ａ，１８６ａ，２０６ａ，２２６ａ，２５６ａ，３２５ａ，３２６ａ，３４５ａ，３４６ａ：針軸
１２７ｃ，１５６ｂ１〜１５６ｂ３，１６６ｂ１〜１６６ｂ４，１７６ｂ１〜１７６ｂ３，１８６ｂ１〜１８６ｂ，２０６ｂ１〜２０６ｂ４，２２６ｂ１〜２２６ｂ４，２５６ｂ１〜２５６ｂ４：針先
１２９：釣り針保持部品
１２９ａ，１２９ｂ：組込部
１３０：はめ込み穴
１５４ａ〜１５４ｃ，１６４ａ〜１６４ｃ，１７４ａ〜１７４ｃ，２０４ａ〜２０４ｃ，２２４ａ，２５４ａ，３５６，６０７ａ，６０７ｂ，６０７ｃ：第２の穴
１３１，２７３，２８３，２９３，３０３：底板
１３１ａ：内壁
１５２，１６２，１７２，１８２，２０２，２２２，２５２，３１２，３３２，５２１：下側ケース
１５５，１６５，１７５，１８５，２０５，２２５，２５５，２７５，２８５，２９５，３０５，３１４，３３４：突出部
１５６，１６６，１７６，１８６，２０６，２２６，２５６，３２５，３２６，３４５，３４６：ハリス付イカリ針
２１０，２３０，２６０：小口側
２１５，２３５，２６５：外側部
２３１，２６１：グリップ
２７１ａ，２８１ａ，２９１ａ，３０１ａ，３６０，３６１，３６２：直線
２７４，２８４，２９４，３０４，３２７，３４７，５１０，６２０：ハリス収納部（ハリス収納空間）
２７６ａ，２８６ａ，２９６ａ，３０６ａ：実質中心線
２７６ｂ，２８６ｂ，２９６ｂ，３０６ｂ：下側斜面
２７６ｃ，２８６ｃ，２９６ｃ，３０６ｃ：上側面
３１２ａ，３１２ｂ：平坦面
３１５，３３５，５２２：上側ケース
３１６，３３６：接続部
３１７ａ，３３７ａ，３１７ｂ，３３７ｂ：契合部
３５２：ハリス収納部の外側の内壁の位置を示す点線
３５４ａ：ハリス収納部の内周壁
３５５ｃ，３５６ｃ：穴の中心
５００：釣り針収納具本体
５０１：外側部凹部
５０２，５０３：側壁
５０５ａ：底部
５１２：内周壁
５２３：接合部
５２４：ケースの開口部
５２５：側面突部
６０１：釣り針保持部の上面
６０２：釣り針保持部の上面６０１の上部平坦部
６０３：釣り針保持部の上面６０１の周辺傾斜部
３５３，６０５：釣り針保持部の内側面
６０８：円
６１０，６１１：中心線
６２０：ハリス収納空間
Ｗ１：長さ
Ｗ２：深さ
φ１：直径
θ１，θ２，θ３，θ４，θ１０，θ２０，θ３０：角度
【図１】
2005040040.tif 000003
【図２】
2005040040.tif 000004
【図３】
2005040040.tif 000005
【図４】
2005040040.tif 000006
【図５】
2005040040.tif 000007
【図６】
2005040040.tif 000008
【図７】
2005040040.tif 000009
【図８】
2005040040.tif 000010
【図９】
2005040040.tif 000011
【図１０】
2005040040.tif 000012
【図１１】
2005040040.tif 000013
【図１２】
2005040040.tif 000014
【図１３】
2005040040.tif 000015
【図１４】
2005040040.tif 000016
【図１５】
2005040040.tif 000017
【図１６】
2005040040.tif 000018
【図１７】
2005040040.tif 000019
【図１８】
2005040040.tif 000020
【図１９】
2005040040.tif 000021
【図２０】
2005040040.tif 000022
【図２１】
2005040040.tif 000023
【図２２】
2005040040.tif 000024
【図２３】
2005040040.tif 000025
【図２４】
2005040040.tif 000026
【図２５】
2005040040.tif 000027
【図２６】
2005040040.tif 000028
【図２７】
2005040040.tif 000029
【図２８】
2005040040.tif 000030
【図２９】
2005040040.tif 000031
【図３０】
2005040040.tif 000032
【図３１】
2005040040.tif 000033
【図３２】
2005040040.tif 000034
【図３３】
2005040040.tif 000035
【図３４】
2005040040.tif 000036
【図３５】
2005040040.tif 000037